(57)【要約】【課題】文書の閲覧性を向上させつつ表示する際の処理を低減させること。【解決手段】ＰＤＡ等に表示する対象となる文書情報が含まれている文書画像データの入力を受け付ける文書画像入力受付部と、入力された文書画像データを、文字情報が含まれており予め定められた基準で文字領域画像に分割する領域分割部と、分割された前記文字領域画像を記憶する記憶手段と、ＰＤＡ等から文書情報を送信する要求を受け付ける出力受付部と、ＰＤＡ等から文書情報を送信する要求を受け付けた場合、記憶手段に記憶された文字領域画像を出力する処理を行う出力処理部と、を備える。【選択図】        図２
2006260304.tif 000002
【特許請求の範囲】
【請求項１】
他の情報表示処理装置で表示する対象となる文書情報が含まれている文書画像情報の入力を受け付ける文書画像入力受付手段と、
前記文書画像入力受付手段により入力された前記文書画像情報を、文字情報が含まれており予め定められた基準で文字領域画像情報に分割する領域分割手段と、
前記領域分割手段により分割された前記文字領域画像情報を記憶する記憶手段と、
前記他の情報表示処理装置から文書情報を送信する要求を受け付ける出力受付手段と、
前記出力受付手段により前記他の情報表示処理装置から前記文書情報を送信する要求を受け付けた場合、前記記憶手段に記憶された前記文字領域画像情報を出力する処理を行う出力処理手段と、
を備えたことを特徴とする情報管理装置。
【請求項２】
前記領域分割手段により分割された前記文字領域画像情報の前記画像サイズを、前記他の情報表示処理装置の画面サイズ及び前記画像サイズに基づいて該画面サイズの表示に適した前記画像サイズに変更する正規化処理手段を、さらに備え、
前記記憶手段は、前記正規化処理手段により前記画像サイズが変更された前記文字領域画像情報を記憶することを特徴とする請求項１に記載の情報管理装置。
【請求項３】
前記領域分割手段により分割された前記文字領域画像情報の配置を指示する文書構成情報を生成する構成生成手段と、をさらに備え、
前記記憶手段は、前記文字領域画像情報と、さらに前記構成生成手段により生成された前記文書構成情報と、を対応付けて記憶し、
前記出力処理手段は、前記出力受付手段により前記他の情報表示処理装置から前記文書情報を送信する要求を受け付けた場合、前記記憶手段に記憶された前記文字領域画像情報と、前記文字領域画像情報と対応付けられていた前記文書構成情報を出力する処理すること
を特徴とする請求項１又は２に記載の情報管理装置。
【請求項４】
前記文書画像入力受付手段により入力された前記文書画像情報に含まれた文書情報について、予め定められた判断基準を満たした文書情報部分を抽出する基準領域抽出手段と、
前記構成生成手段は、前記基準領域抽出手段により抽出された予め定められた前記判断基準を満たした文書情報部分に対応する前記文字領域画像情報を特定する領域特定情報を含めて前記文書構成情報を生成することを特徴とする請求項３に記載の情報管理装置。
【請求項５】
他の情報表示処理装置で表示する対象となる文書情報が含まれている文書画像情報の入力を受け付ける文書画像入力受付手段と、
前記文書画像入力受付手段により入力された前記文書画像情報を、文字情報が含まれており予め定められた基準で文字領域画像情報に分割する領域分割手段と、
前記領域分割手段により分割された前記文字領域画像情報を記憶する記憶手段と、
前記他の情報表示処理装置から文書情報を送信する要求を受け付ける出力受付手段と、
前記出力受付手段により前記他の情報表示処理装置から前記文書情報を送信する要求を受け付けた場合、前記記憶手段に記憶された前記文字領域画像情報を出力する処理を行う出力処理手段と、
を備えたことを特徴とするサーバ。
【請求項６】
他の情報表示処理装置で表示する対象となる文書情報が含まれている文書画像情報の入力を受け付ける文書画像入力受付手段と、
前記文書画像入力受付手段により入力された前記文書画像情報を、文字情報が含まれており予め定められた基準で文字領域画像情報に分割する領域分割手段と、
前記領域分割手段により分割された前記文字領域画像情報を記憶する記憶手段と、
前記他の情報表示処理装置から文書情報を送信する要求を受け付ける出力受付手段と、
前記出力受付手段により前記他の情報表示処理装置から前記文書情報を送信する要求を受け付けた場合、前記記憶手段に記憶された前記文字領域画像情報を出力する処理を行う出力処理手段と、
を備えたことを特徴とする画像形成装置。
【請求項７】
文書情報の送信する要求を出力処理する要求出力処理手段と、
前記要求出力処理手段により出力された前記要求の出力先から送信された予め定められた基準で文字情報が含まれた文字領域画像情報を入力処理する入力処理手段と、
前記入力処理手段により入力された前記文字領域画像情報を再構成して文書情報として表示処理する表示処理手段と、
を備えたことを特徴とする情報表示処理装置。
【請求項８】
前記入力処理手段は、前記要求出力処理手段により出力された前記要求の出力先から送信された予め定められた前記画像サイズの文字情報が含まれた文字領域画像情報と、さらに該文字領域画像情報の配置を指示する文書構成情報を入力処理し、
前記表示処理手段は、前記入力処理手段により入力された前記文書構成情報に基づいて、前記文字領域画像情報を再構成して文書情報として表示処理すること
を特徴とする請求項７に記載の情報表示処理装置。
【請求項９】
前記入力処理手段により入力された前記文書構成情報に含まれた領域特定情報により特定される前記文字領域画像情報を抽出する領域抽出手段と、
前記表示処理手段は、前記領域抽出手段により抽出された前記文字領域画像情報のみを表示処理することを特徴とする請求項８に記載の情報表示処理装置。
【請求項１０】
前記表示処理手段により表示された前記文字領域画像情報を入力装置による選択を受け付ける選択受付手段と、
前記表示処理手段は、前記選択受付手段により選択された前記文字領域画像情報と対応付けられており、且つ前記領域特定情報により特定されなかった前記文字領域画像情報を再構成して文書情報として表示処理することを特徴とする請求項９に記載の情報表示処理装置。
【請求項１１】
前記表示処理手段は、前記領域抽出手段により抽出された前記文字領域画像情報を文書情報として再構成して、予め定められた画素値を用いて表示処理することを特徴とする請求項９又は１０に記載の情報表示処理装置。
【請求項１２】
前記入力処理手段により入力された前記文字領域画像情報において、文字を構成する画素について白を示す画素値に、背景を構成する画素について黒を示す画素値に変更する画素値変更手段と、
前記表示処理手段は、前記入力処理手段により入力された前記文字領域画像情報を用いて文書情報として再構成して前記画素値変更手段により変更された前記画素値を用いて表示処理することを特徴とする７乃至１１のいずれか１つに記載の情報表示処理装置。
【請求項１３】
前記入力処理手段により入力された前記文字領域画像情報において、文字を構成する画素について高明度の画素値に、背景を構成する画素について低明度の画素値に変更する画素値変更手段と、
前記表示処理手段は、前記入力処理手段により入力された前記文字領域画像情報を用いて文書情報として再構成して前記画素値変更手段により変更された前記画素値を用いて表示処理することを特徴とする７乃至１１のいずれか１つに記載の情報表示処理装置。
【請求項１４】
電力を供給する量に制限を有する電源であるか否か判断する電源判断手段と、
前記画素値変更手段は、前記電源判断手段で電力の供給する量に制限を有すると判断した場合に、前記文字領域画像情報の文字を構成する前記画素値及び背景を構成する前記画素値を変更することを特徴とする請求項１２又は１３に記載の情報表示処理装置。
【請求項１５】
電源から供給可能な電力量を取得する供給情報取得手段と、
前記供給情報取得手段により取得した前記供給可能な電力量が所定の電力量以上か否か判断する供給情報判断手段と、
前記画素値変更手段は、前記供給情報判断手段により前記供給可能な電力量が所定の電力量以下と判断された場合に、前記文字領域画像情報において、文字を構成する前記画素値及び背景を構成する前記画素値を変更することを特徴とする請求項１２又は１３に記載の情報表示処理装置。
【請求項１６】
表示する際に用いる文字を構成する画素の画素値及び背景を構成する画素の画素値を保持する文字背景色保持手段と、
前記表示処理手段は、前記文字背景色保持手段で保持している前記文字を構成する画素の画素値及び背景を構成する画素の画素値を用いて、前記文字領域画像情報を表示処理することを特徴とする請求項７乃至１５のいずれか１つに記載の情報表示処理装置。
【請求項１７】
他の情報表示処理装置で表示する対象となる文書情報が含まれている文書画像情報の入力を受け付ける文書画像入力受付手段と、
前記文書画像入力受付手段により入力された前記文書画像情報を、文字情報が含まれており予め定められた基準で文字領域画像情報に分割する領域分割手段と、
前記領域分割手段により分割された前記文字領域画像情報の前記画像サイズを、前記他の情報表示処理装置の画面サイズ及び前記画像サイズに基づいて該画面サイズの表示に適した前記画像サイズに変更する正規化処理手段と、
前記領域分割手段により分割された前記文字領域画像情報、及び前記正規化処理手段により変更された前記文字領域情報を記憶する記憶手段と、
前記他の情報表示処理装置から文書情報を送信する要求を受け付ける出力受付手段と、
前記出力受付手段により前記他の情報表示処理装置から前記文書情報を送信する要求を受け付けた場合、前記他の情報表示処理装置の画面サイズに適した前記記憶手段に記憶された前記文字領域画像情報を出力する処理を行う出力処理手段と、
を備えたことを特徴とする情報管理装置。
【請求項１８】
他の情報表示処理装置で表示する対象となる文書情報が含まれている文書画像情報の入力を受け付ける文書画像入力受付手段と、
前記文書画像入力受付手段により入力された前記文書画像情報を、文字情報が含まれており予め定められた基準で文字領域画像情報に分割する領域分割手段と、
前記領域分割手段により分割された前記文字領域画像情報の配置を指示する文書構成情報を生成する構成生成手段と、
前記領域分割手段により分割された前記文字領域画像情報と、さらに前記構成生成手段により生成された前記文書構成情報と、を対応付けて記憶する記憶手段と、
前記他の情報表示処理装置から文書情報を送信する要求を受け付ける出力受付手段と、
前記出力受付手段により前記他の情報表示処理装置から前記文書情報を送信する要求を受け付けた場合、前記記憶手段に記憶された前記文字領域画像情報と、前記文字領域画像情報と対応付けられていた前記文書構成情報を出力する処理を行う出力処理手段と、
を備えたことを特徴とする情報管理装置。
【請求項１９】
他の情報表示処理装置で表示する対象となる文書情報が含まれている文書画像情報の入力を受け付ける文書画像入力受付手段と、
前記文書画像入力受付手段により入力された前記文書画像情報を、文字情報が含まれており予め定められた基準で文字領域画像情報に分割する領域分割手段と、
前記領域分割手段により分割された前記文字領域画像情報の配置を指示する文書構成情報を生成する構成生成手段と、
前記文書画像取得手段により取得した前記文書画像情報に含まれた文書情報について、予め定められた判断基準を満たした文書情報部分を抽出する基準領域抽出手段と、
前記領域分割手段により分割された前記文字領域画像情報と、さらに前記構成生成手段により生成された前記文書構成情報と、を対応付けて記憶する記憶手段と、
前記他の情報表示処理装置から文書情報を送信する要求を受け付ける出力受付手段と、
前記出力受付手段により前記他の情報表示処理装置から前記文書情報を送信する要求を受け付けた場合、前記記憶手段に記憶された前記文字領域画像情報と、前記文字領域画像情報と対応付けられていた前記文書構成情報を出力する処理を行う出力処理手段と、
を備えたことを特徴とする情報管理装置。
【請求項２０】
文書情報の送信する要求を出力処理する要求出力処理手段と、
前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、
前記入力処理手段により入力された前記文書構成情報に基づいて、前記文字領域画像情報を再構成して文書情報を表示処理する表示処理手段と、
を備えたことを特徴とする情報表示処理装置。
【請求項２１】
文書情報の送信する要求を出力処理する要求出力処理手段と、
前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、
前記入力処理手段で入力された前記文書構成情報に含まれた領域特定情報により特定される前記文字領域画像情報を抽出する領域抽出手段と、
前記領域抽出手段により抽出された前記文字領域画像情報を再構成して文書情報として表示処理する表示処理手段と、
を備えたことを特徴とする情報表示処理装置。
【請求項２２】
文書情報の送信する要求を出力処理する要求出力処理手段と、
前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、
前記入力処理手段で入力された前記文書構成情報に含まれた領域特定情報により特定される前記文字領域画像情報を抽出する領域抽出手段と、
前記領域抽出手段により抽出された前記文字領域画像情報を再構成して文書情報として表示処理する表示処理手段と、
前記表示処理手段により表示された前記文字領域画像情報を入力装置による選択を受け付ける選択受付手段と、を備え、
前記表示処理手段は、前記選択受付手段により選択された前記文字領域画像情報と対応付けられており、且つ前記領域特定情報により特定されなかった前記文字領域画像情報を再構成して文書情報として表示処理することを特徴とする情報表示処理装置。
【請求項２３】
文書情報の送信する要求を出力処理する要求出力処理手段と、
前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、
前記入力処理手段で入力された前記文書構成情報に含まれた領域特定情報により特定される前記文字領域画像情報を抽出する領域抽出手段と、
前記領域抽出手段により抽出された前記文字領域画像情報を文書情報として再構成して予め定められた画素値を用いて表示処理する表示処理手段と、
を備えたことを特徴とする情報表示処理装置。
【請求項２４】
文書情報の送信する要求を出力処理する要求出力処理手段と、
前記要求出力処理手段により出力された前記要求の出力先から送信された予め定められた基準で文字情報が含まれた文字領域画像情報を入力処理する入力処理手段と、
前記入力処理手段により入力された前記文字領域画像情報において、文字を構成する画素について白を示す画素値に、背景を構成する画素について黒を示す画素値に変更する画素値変更手段と、
前記入力処理手段により入力された前記文字領域画像情報を文書情報として再構成して前記画素値変更手段により変更された前記画素値を用いて表示処理する表示処理手段と、
を備えたことを特徴とする情報表示処理装置。
【請求項２５】
文書情報の送信する要求を出力処理する要求出力処理手段と、
前記要求出力処理手段により出力された前記要求の出力先から送信された予め定められた基準で文字情報が含まれた文字領域画像情報を入力処理する入力処理手段と、
前記入力処理手段により入力された前記文字領域画像情報において、文字を構成する画素について高明度の画素値に、背景を構成する画素について低明度の画素値に変更する画素値変更手段と、
前記入力処理手段により入力された前記文字領域画像情報を文書情報として再構成して前記画素値変更手段により変更された前記画素値を用いて表示処理する表示処理手段と、
を備えたことを特徴とする情報表示処理装置。
【請求項２６】
文書情報の送信する要求を出力処理する要求出力処理手段と、
前記要求出力処理手段により出力された前記要求の出力先から送信された予め定められた基準で文字情報が含まれた文字領域画像情報を入力処理する入力処理手段と、
電力を供給する量に制限を有する電源であるか否か判断する電源判断手段と、
前記電源判断手段で電力の供給する量に制限を有すると判断した場合に、前記入力処理手段により入力された前記文字領域画像情報において、文字を構成する画素について高明度の画素値に、背景を構成する画素について低明度の画素値に変更する画素値変更手段と、
前記入力処理手段により入力された前記文字領域画像情報を文書情報として再構成して前記画素値変更手段により変更された前記画素値を用いて表示処理する表示処理手段と、
を備えたことを特徴とする情報表示処理装置。
【請求項２７】
文書情報の送信する要求を出力処理する要求出力処理手段と、
前記要求出力処理手段により出力された前記要求の出力先から送信された予め定められた基準で文字情報が含まれた文字領域画像情報を入力処理する入力処理手段と、
電源から供給可能な電力量を取得する供給情報取得手段と、
前記供給情報取得手段により取得した前記供給可能な電力量が所定の電力量以上か否か判断する供給情報判断手段と、
前記供給情報判断手段により前記供給可能な電力量が所定の電力量以下と判断された場合に、前記入力処理手段により入力された前記文字領域画像情報において、文字を構成する画素について高明度の画素値に、背景を構成する画素について低明度の画素値に変更する画素値変更手段と、
前記入力処理手段により入力された前記文字領域画像情報を文書情報として再構成して前記画素値変更手段により変更された前記画素値を用いて表示処理する表示処理手段と、
を備えたことを特徴とする情報表示処理装置。
【請求項２８】
文書情報の送信する要求を出力処理する要求出力処理手段と、
前記要求出力処理手段により出力された前記要求の出力先から送信された予め定められた基準で文字情報が含まれた文字領域画像情報を入力処理する入力処理手段と、
表示する際に用いる文字を構成する画素の画素値及び背景を構成する画素の画素値を保持する文字背景色保持手段と、
前記入力処理手段により入力された前記文字領域画像情報を文書情報として再構成して前記文字背景色保持手段で保持している前記文字を構成する画素の画素値及び背景を構成する画素の画素値を用いて表示処理する表示処理手段と、
を備えたことを特徴とする情報表示処理装置。
【請求項２９】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報を記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報を出力する処理を行う出力処理ステップと、
を備えたことを特徴とする情報管理方法。
【請求項３０】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の前記画像サイズを、前記他の情報表示処理装置の画面サイズ及び前記画像サイズに基づいて該画面サイズの表示に適した前記画像サイズに変更する正規化処理ステップと、
前記領域分割ステップにより分割された前記文字領域画像情報、及び前記正規化処理ステップにより前記画像サイズが変更された前記文字領域情報を記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記他の情報表示処理装置の画面サイズに適した前記記憶ステップに記憶された前記文字領域画像情報を出力する処理を行う出力処理ステップと、
を備えたことを特徴とする情報管理方法。
【請求項３１】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の配置を指示する文書構成情報を生成する構成生成ステップと、
前記領域分割ステップにより分割された前記文字領域画像情報と、さらに前記構成生成ステップにより生成された前記文書構成情報と、を対応付けて記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、
を備えたことを特徴とする情報管理方法。
【請求項３２】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の配置を指示する文書構成情報を生成する構成生成ステップと、
前記文書画像取得ステップにより取得した前記文書画像に含まれた文書情報について、予め定められた判断基準を満たした文書情報部分を抽出する基準領域抽出ステップと、
前記領域分割ステップにより分割された前記文字領域画像情報と、さらに前記構成生成ステップにより生成された前記文書構成情報と、を対応付けて記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、
を備えたことを特徴とする情報管理方法。
【請求項３３】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報を再構成して文書情報として表示処理する表示処理ステップと、
を備えたことを特徴とする情報表示処理方法。
【請求項３４】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップにより入力された前記文書構成情報に基づいて、前記文字領域画像情報を再構成して文書情報を表示処理する表示処理ステップと、
を備えたことを特徴とする情報表示処理方法。
【請求項３５】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を再構成して文書情報として表示処理する表示処理ステップと、
を備えたことを特徴とする情報表示処理方法。
【請求項３６】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を再構成して文書情報として表示処理する表示処理ステップと、
前記表示処理ステップにより表示された前記文字領域画像情報を入力装置による選択を受け付ける選択受付ステップと、を備え、
前記表示処理ステップは、前記選択受付ステップにより選択された前記文字領域画像情報と対応付けられており、且つ前記領域特定情報により特定されなかった前記文字領域画像情報を再構成して文書情報として表示処理することを特徴とする情報表示処理方法。
【請求項３７】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を文書情報として再構成して予め定められた画素値を用いて表示処理する表示処理ステップと、
を備えたことを特徴とする情報表示処理方法。
【請求項３８】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報において、文字を構成する画素について白を示す画素値に、背景を構成する画素について黒を示す画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
を備えたことを特徴とする情報表示処理方法。
【請求項３９】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
を備えたことを特徴とする情報表示処理方法。
【請求項４０】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
電力を供給する量に制限を有する電源であるか否か判断する電源判断ステップと、
前記電源判断ステップで電力の供給する量に制限を有すると判断した場合に、前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
を備えたことを特徴とする情報表示処理方法。
【請求項４１】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
電源から供給可能な電力量を取得する供給情報取得ステップと、
前記供給情報取得ステップにより取得した前記供給可能な電力量が所定の電力量以上か否か判断する供給情報判断ステップと、
前記供給情報判断ステップにより前記供給可能な電力量が所定の電力量以下と判断された場合に、前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
を備えたことを特徴とする情報表示処理方法。
【請求項４２】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
表示する際に用いる文字を構成する画素の画素値及び背景を構成する画素の画素値を保持する文字背景色保持ステップと、
前記入力処理ステップにより入力された前記文字領域画像情報を文書情報として再構成して前記文字背景色保持ステップで保持している前記文字を構成する画素の画素値及び背景を構成する画素の画素値を用いて表示処理する表示処理ステップと、
を備えたことを特徴とする情報表示処理方法。
【請求項４３】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報を記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報を出力する処理を行う出力処理ステップと、
をコンピュータに実行させることを特徴とする情報管理プログラム。
【請求項４４】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の前記画像サイズを、前記他の情報表示処理装置の画面サイズ及び前記画像サイズに基づいて該画面サイズの表示に適した前記画像サイズに変更する正規化処理ステップと、
前記領域分割ステップにより分割された前記文字領域画像情報、及び前記正規化処理ステップにより前記画像サイズが変更された前記文字領域情報を記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記他の情報表示処理装置の画面サイズに適した前記記憶ステップに記憶された前記文字領域画像情報を出力する処理を行う出力処理ステップと、
をコンピュータに実行させることを特徴とする情報管理プログラム。
【請求項４５】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の配置を指示する文書構成情報を生成する構成生成ステップと、
前記領域分割ステップにより分割された前記文字領域画像情報と、さらに前記構成生成ステップにより生成された前記文書構成情報と、を対応付けて記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、
をコンピュータに実行させることを特徴とする情報管理プログラム。
【請求項４６】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の配置を指示する文書構成情報を生成する構成生成ステップと、
前記文書画像取得ステップにより取得した前記文書画像に含まれた文書情報について、予め定められた判断基準を満たした文書情報部分を抽出する基準領域抽出ステップと、
前記領域分割ステップにより分割された前記文字領域画像情報と、さらに前記構成生成ステップにより生成された前記文書構成情報と、を対応付けて記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、
をコンピュータに実行させることを特徴とする情報管理プログラム。
【請求項４７】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報を再構成して文書情報として表示処理する表示処理ステップと、
をコンピュータに実行させることを特徴とする情報表示処理プログラム。
【請求項４８】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップにより入力された前記文書構成情報に基づいて、前記文字領域画像情報を再構成して文書情報を表示処理する表示処理ステップと、
をコンピュータに実行させることを特徴とする情報表示処理プログラム。
【請求項４９】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を再構成して文書情報として表示処理する表示処理ステップと、
をコンピュータに実行させることを特徴とする情報表示処理プログラム。
【請求項５０】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を再構成して文書情報として表示処理する表示処理ステップと、
前記表示処理ステップにより表示された前記文字領域画像情報を入力装置による選択を受け付ける選択受付ステップと、をコンピュータに実行させ、
前記表示処理ステップは、前記選択受付ステップにより選択された前記文字領域画像情報と対応付けられており、且つ前記領域特定情報により特定されなかった前記文字領域画像情報を再構成して文書情報として表示処理すること
を特徴とする情報表示処理プログラム。
【請求項５１】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を文書情報として再構成して予め定められた画素値を用いて表示処理する表示処理ステップと、
をコンピュータに実行させることを特徴とする情報表示処理プログラム。
【請求項５２】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報において、文字を構成する画素について白を示す画素値に、背景を構成する画素について黒を示す画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラム。
【請求項５３】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラム。
【請求項５４】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
電力を供給する量に制限を有する電源であるか否か判断する電源判断ステップと、
前記電源判断ステップで電力の供給する量に制限を有すると判断した場合に、前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラム。
【請求項５５】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
電源から供給可能な電力量を取得する供給情報取得ステップと、
前記供給情報取得ステップにより取得した前記供給可能な電力量が所定の電力量以上か否か判断する供給情報判断ステップと、
前記供給情報判断ステップにより前記供給可能な電力量が所定の電力量以下と判断された場合に、前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラム。
【請求項５６】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
表示する際に用いる文字を構成する画素の画素値及び背景を構成する画素の画素値を保持する文字背景色保持ステップと、
前記入力処理ステップにより入力された前記文字領域画像情報を文書情報として再構成して前記文字背景色保持ステップで保持している前記文字を構成する画素の画素値及び背景を構成する画素の画素値を用いて表示処理する表示処理ステップと、
をコンピュータに実行させることを特徴とする情報表示処理プログラム。
【請求項５７】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報を記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報を出力する処理を行う出力処理ステップと、
をコンピュータに実行させることを特徴とする情報管理プログラムを記録したコンピュータ読み取り可能な記録媒体。
【請求項５８】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の前記画像サイズを、前記他の情報表示処理装置の画面サイズ及び前記画像サイズに基づいて該画面サイズの表示に適した前記画像サイズに変更する正規化処理ステップと、
前記領域分割ステップにより分割された前記文字領域画像情報、及び前記正規化処理ステップにより画像サイズが変更された前記文字領域情報を記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記他の情報表示処理装置の画面サイズに適した前記記憶ステップに記憶された前記文字領域画像情報を出力する処理を行う出力処理ステップと、
をコンピュータに実行させることを特徴とする情報管理プログラムを記録したコンピュータ読み取り可能な記録媒体。
【請求項５９】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の配置を指示する文書構成情報を生成する構成生成ステップと、
前記領域分割ステップにより分割された前記文字領域画像情報と、さらに前記構成生成ステップにより生成された前記文書構成情報と、を対応付けて記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、
をコンピュータに実行させることを特徴とする情報管理プログラムを記録したコンピュータ読み取り可能な記録媒体。
【請求項６０】
他の情報表示処理装置で表示する対象となる文書情報が含まれている文書画像情報の入力を受け付ける文書画像入力受付ステップと、
前記文書画像入力受付ステップにより入力された前記文書画像情報を、文字情報が含まれており予め定められた基準で文字領域画像情報に分割する領域分割ステップと、
前記領域分割ステップにより分割された前記文字領域画像情報の配置を指示する文書構成情報を生成する構成生成ステップと、
前記文書画像取得ステップにより取得した前記文書画像に含まれた文書情報について、予め定められた判断基準を満たした文書情報部分を抽出する基準領域抽出ステップと、
前記領域分割ステップにより分割された前記文字領域画像情報と、さらに前記構成生成ステップにより生成された前記文書構成情報と、を対応付けて記憶する記憶ステップと、
前記他の情報表示処理装置から文書情報を送信する要求を受け付ける出力受付ステップと、
前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、
をコンピュータに実行させることを特徴とする情報管理プログラムを記録したコンピュータ読み取り可能な記録媒体。
【請求項６１】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報を再構成して文書情報として表示処理する表示処理ステップと、
をコンピュータに実行させることを特徴とする情報表示処理プログラムを記録したコンピュータ読み取り可能な記録媒体。
【請求項６２】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップにより入力された前記文書構成情報に基づいて、前記文字領域画像情報を再構成して文書情報を表示処理する表示処理ステップと、
をコンピュータに実行させることを特徴とする情報表示処理プログラムを記録したコンピュータ読み取り可能な記録媒体。
【請求項６３】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を再構成して文書情報として表示処理する表示処理ステップと、
をコンピュータに実行させることを特徴とする情報表示処理プログラムを記録したコンピュータ読み取り可能な記録媒体。
【請求項６４】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を再構成して文書情報として表示処理する表示処理ステップと、
前記表示処理ステップにより表示された前記文字領域画像情報を入力装置による選択を受け付ける選択受付ステップと、をコンピュータに実行させ、
前記表示処理ステップは、前記選択受付ステップにより選択された前記文字領域画像情報と対応付けられており、且つ前記領域特定情報により特定されなかった前記文字領域画像情報を再構成して文書情報として表示処理すること、
を特徴とする情報表示処理プログラムを記録したコンピュータ読み取り可能な記録媒体。
【請求項６５】
文書情報の送信する要求を出力処理する要求出力処理ステップと、
前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、
前記入力処理ステップで入力された前記文書構成情報に含まれた領域特定情報により特定される前記文字領域画像情報を抽出する領域抽出ステップと、
前記領域抽出ステップにより抽出された前記文字領域画像情報を文書情報として再構成して予め定められた画素値を用いて表示処理する表示処理ステップと、
をコンピュータに実行させることを特徴とする情報表示処理プログラムを記録したコンピュータ読み取り可能な記録媒体。
【請求項６６】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報において、文字を構成する画素について白を示す画素値に、背景を構成する画素について黒を示す画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラムを記録したコンピュータ読み取り可能な記録媒体。
【請求項６７】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラムを記録したコンピュータ読み取り可能な記録媒体。
【請求項６８】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
電力を供給する量に制限を有する電源であるか否か判断する電源判断ステップと、
前記電源判断ステップで電力の供給する量に制限を有すると判断した場合に、前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラムを記録したコンピュータ読み取り可能な記録媒体。
【請求項６９】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
電源から供給可能な電力量を取得する供給情報取得ステップと、
前記供給情報取得ステップにより取得した前記供給可能な電力量が所定の電力量以上か否か判断する供給情報判断ステップと、
前記供給情報判断ステップにより前記供給可能な電力量が所定の電力量以下と判断された場合に、前記入力処理ステップにより入力された前記文字領域画像情報において、文字を構成する画素について高明度の画素値に、背景を構成する画素について低明度の画素値に変更する画素値変更ステップと、
前記入力処理ステップにより入力された前記文字領域画像情報を文書情報として再構成して前記画素値変更ステップにより変更された前記画素値を用いて表示処理する表示処理ステップと、
をコンピュータに実行させることを特徴とする情報表示処理プログラムを記録したコンピュータ読み取り可能な記録媒体。
【請求項７０】
文書情報の送信する要求を出力処理する要求出力処理ステップと、
前記要求出力処理ステップにより出力された前記要求の出力先から送信された予め定められた基準で文字情報が含まれた文字領域画像情報を入力処理する入力処理ステップと、
表示する際に用いる文字を構成する画素の画素値及び背景を構成する画素の画素値を保持する文字背景色保持ステップと、
前記入力処理ステップにより入力された前記文字領域画像情報を文書情報として再構成して前記文字背景色保持ステップで保持している前記文字を構成する画素の画素値及び背景を構成する画素の画素値を用いて表示処理する表示処理ステップと、
をコンピュータに実行させることを特徴とする情報表示処理プログラムを記録したコンピュータ読み取り可能な記録媒体。
【発明の詳細な説明】
【技術分野】
【０００１】
本発明は、情報管理装置、サーバ、画像形成装置、情報表示処理装置、情報管理方法、情報表示処理方法、情報管理プログラム、情報表示処理プログラム及びコンピュータ読み取り可能な記録媒体に関するものであり、特に画像データに含まれた文書情報を送受信可能な装置上の画面に表示するために再構成する技術に関するものである。
【背景技術】
【０００２】
近年、ＰＣ（Personal Computer）に加え、ＰＤＡ（Personal Digital Assistance）又は携帯電話等に搭載された液晶パネルの技術的発展により、搭載された画面のサイズが異なる様々な機器から文書又は画像を表示する機会が増加している。
【０００３】
しかしながら、一般に画面サイズの小さい端末で文書画像を閲覧する際に、ページ全体を画面に表示すると字が小さいため閲覧するのが困難となる。また、文書画像を文字が閲覧可能な大きさ画像を表示すると、文書画像の画像サイズが画面サイズより大きいため、画面に表示される文字は読む順序で表示されず、読むために逐次縦及び横にスクロールを行う必要があり、閲覧性を著しく損なうこととなっていた。なお、画像サイズとは、画像が画面に表示される時の面積とする。
【０００４】
そこで、画像情報として出力されたスキャン後のハードコピー文書等を、文書内容により自動再フォーマットする技術が提案されている（例えば特許文献１）。
【０００５】
この特許文献１に記載された技術は、自動再フォーマットを行うために、この文書内容が含まれた画像を解体して再構成することで、任意の画像サイズの情報表示処理装置で表示する際の閲覧性を向上させている。
【０００６】
また、この特許文献１に記載された技術は、解体した画像自体を表示するので、異なる文字に変換されることがないという利点を有している。
【０００７】
【特許文献１】特開２００４−５４５３号公報
【発明の開示】
【発明が解決しようとする課題】
【０００８】
しかしながら、特許文献１に記載された技術は、画像内の文書構造を解析してから画像を解体する必要があるため、情報表示処理装置にかかる演算負荷が大きいという問題がある。
【０００９】
さらには、文書情報の参照を希望する利用者も多く存在すると予想されるため、個々の情報表示処理装置で上述した処理を行うのは非効率であるという問題がある。
【００１０】
本発明は、上記に鑑みてなされたものであって、文書の閲覧性を向上させつつ表示する際の処理を低減させた情報管理装置、サーバ、画像形成装置、情報表示処理装置、情報管理方法、情報表示処理方法、情報管理プログラム、情報表示処理プログラム及びコンピュータ読み取り可能な記録媒体を提供することを目的とする。
【課題を解決するための手段】
【００１１】
上述した課題を解決し、目的を達成するために、請求項１にかかる発明は、他の情報表示処理装置で表示する対象となる文書情報が含まれている文書画像情報の入力を受け付ける文書画像入力受付手段と、前記文書画像入力受付手段により入力された前記文書画像情報を、文字情報が含まれており予め定められた基準で文字領域画像情報に分割する領域分割手段と、前記領域分割手段により分割された前記文字領域画像情報を記憶する記憶手段と、前記他の情報表示処理装置から文書情報を送信する要求を受け付ける出力受付手段と、前記出力受付手段により前記他の情報表示処理装置から前記文書情報を送信する要求を受け付けた場合、前記記憶手段に記憶された前記文字領域画像情報を出力する処理を行う出力処理手段と、を備えたことを特徴とする。
【００１２】
また、請求項２にかかる発明は、請求項１にかかる発明において、前記領域分割手段により分割された前記文字領域画像情報の画像サイズを、前記他の情報表示処理装置の画面サイズ及び前記画像サイズに基づいて該画面サイズの表示に適した前記画像サイズに変更する正規化処理手段を、さらに備え、前記記憶手段は、前記正規化処理手段により画像サイズが変更された前記文字領域画像情報を、記憶することを特徴とする。
【００１３】
また、請求項３にかかる発明は、請求項１または２にかかる発明において、前記領域分割手段により分割された前記文字領域画像情報の配置を指示する文書構成情報を生成する構成生成手段と、をさらに備え、前記記憶手段は、前記文字領域画像情報と、さらに前記構成生成手段により生成された前記文書構成情報と、を対応付けて記憶し、前記出力処理手段は、前記出力受付手段により前記他の情報表示処理装置から前記文書情報を送信する要求を受け付けた場合、前記記憶手段に記憶された前記文字領域画像情報と、前記文字領域画像情報と対応付けられていた前記文書構成情報を出力する処理することを特徴とする。
【００１４】
また、請求項４にかかる発明は、請求項３にかかる発明において、前記文書画像入力受付手段により入力された前記文書画像情報に含まれた文書情報について、予め定められた判断基準を満たした文書情報部分を抽出する基準領域抽出手段と、前記構成生成手段は、前記基準領域抽出手段により抽出された予め定められた前記判断基準を満たした文書情報部分に対応する前記文字領域画像情報を特定する領域特定情報を含めて前記文書構成情報を生成することを特徴とする。
【００１５】
また、請求項５にかかる発明は、他の情報表示処理装置で表示する対象となる文書情報が含まれている文書画像情報の入力を受け付ける文書画像入力受付手段と、前記文書画像入力受付手段により入力された前記文書画像情報を、文字情報が含まれており予め定められた基準で文字領域画像情報に分割する領域分割手段と、前記領域分割手段により分割された前記文字領域画像情報を記憶する記憶手段と、前記他の情報表示処理装置から文書情報を送信する要求を受け付ける出力受付手段と、前記出力受付手段により前記他の情報表示処理装置から前記文書情報を送信する要求を受け付けた場合、前記記憶手段に記憶された前記文字領域画像情報を出力する処理を行う出力処理手段と、を備えたことを特徴とする。
【００１６】
また、請求項６にかかる発明は、他の情報表示処理装置で表示する対象となる文書情報が含まれている文書画像情報の入力を受け付ける文書画像入力受付手段と、前記文書画像入力受付手段により入力された前記文書画像情報を、文字情報が含まれており予め定められた基準で文字領域画像情報に分割する領域分割手段と、前記領域分割手段により分割された前記文字領域画像情報を記憶する記憶手段と、前記他の情報表示処理装置から文書情報を送信する要求を受け付ける出力受付手段と、前記出力受付手段により前記他の情報表示処理装置から前記文書情報を送信する要求を受け付けた場合、前記記憶手段に記憶された前記文字領域画像情報を出力する処理を行う出力処理手段と、を備えたことを特徴とする。
【００１７】
また、請求項７にかかる発明は、文書情報の送信する要求を出力処理する要求出力処理手段と、前記要求出力処理手段により出力された前記要求の出力先から送信された予め定められた基準で文字情報が含まれた文字領域画像情報を入力処理する入力処理手段と、前記入力処理手段により入力された前記文字領域画像情報を再構成して文書情報として表示処理する表示処理手段と、を備えたことを特徴とする。
【００１８】
また、請求項８にかかる発明は、請求項７にかかる発明において、前記入力処理手段は、前記要求出力処理手段により出力された前記要求の出力先から送信された予め定められた基準で文字情報が含まれた文字領域画像情報と、さらに該文字領域画像情報の配置を指示する文書構成情報を入力処理し、前記表示処理手段は、前記入力処理手段により入力された前記文書構成情報に基づいて、前記文字領域画像情報を再構成して文書情報として表示処理することを特徴とする。
【００１９】
また、請求項９にかかる発明は、請求項８にかかる発明において、前記入力処理手段により入力された前記文書構成情報に含まれた領域特定情報により特定される前記文字領域画像情報を抽出する領域抽出手段と、前記表示処理手段は、前記領域抽出手段により抽出された前記文字領域画像情報のみを表示処理することを特徴とする。
【００２０】
また、請求項１０にかかる発明は、請求項９にかかる発明において、前記表示処理手段により表示された前記文字領域画像情報を入力装置による選択を受け付ける選択受付手段と、前記表示処理手段は、前記選択受付手段により選択された前記文字領域画像情報と対応付けられており、且つ前記領域特定情報により特定されなかった前記文字領域画像情報を再構成して文書情報として表示処理することを特徴とする。
【００２１】
また、請求項１１にかかる発明は、請求項９又は１０にかかる発明において、前記表示処理手段は、前記領域抽出手段により抽出された前記文字領域画像情報を文書情報として再構成して、予め定められた画素値を用いて表示処理することを特徴とする。
【００２２】
また、請求項１２にかかる発明は、請求項７〜１１のいずれか１つにかかる発明において、前記入力処理手段により入力された前記文字領域画像情報において、文字を構成する画素について白を示す画素値に、背景を構成する画素について黒を示す画素値に変更する画素値変更手段と、前記表示処理手段は、前記入力処理手段により入力された前記文字領域画像情報を用いて文書情報として再構成して前記画素値変更手段により変更された前記画素値を用いて表示処理することを特徴とする。
【００２３】
また、請求項１３にかかる発明は、請求項７〜１１のいずれか１つにかかる発明において、前記入力処理手段により入力された前記文字領域画像情報において、文字を構成する画素について高明度の画素値に、背景を構成する画素について低明度の画素値に変更する画素値変更手段と、前記表示処理手段は、前記入力処理手段により入力された前記文字領域画像情報を用いて文書情報として再構成して前記画素値変更手段により変更された前記画素値を用いて表示処理することを特徴とする。
【００２４】
また、請求項１４にかかる発明は、請求項１２又は１３にかかる発明において、電力を供給する量に制限を有する電源であるか否か判断する電源判断手段と、前記画素値変更手段は、前記電源判断手段で電力の供給する量に制限を有すると判断した場合に、前記文字領域画像情報の文字を構成する前記画素値及び背景を構成する前記画素値を変更することを特徴とする。
【００２５】
また、請求項１５にかかる発明は、請求項１２又は１３にかかる発明において、電源から供給可能な電力量を取得する供給情報取得手段と、前記供給情報取得手段により取得した前記供給可能な電力量が所定の電力量以上か否か判断する供給情報判断手段と、前記画素値変更手段は、前記供給情報判断手段により前記供給可能な電力量が所定の電力量以下と判断された場合に、前記文字領域画像情報において、文字を構成する前記画素値及び背景を構成する前記画素値を変更することを特徴とする。
【００２６】
また、請求項１６にかかる発明は、請求項７〜１５のいずれか１つにかかる発明において、表示する際に用いる文字を構成する画素の画素値及び背景を構成する画素の画素値を保持する文字背景色保持手段と、前記表示処理手段は、前記文字背景色保持手段で保持している前記文字を構成する画素の画素値及び背景を構成する画素の画素値を用いて、前記文字領域画像情報を表示処理することを特徴とする。
【００２７】
また、請求項１７にかかる発明は、他の情報表示処理装置で表示する対象となる文書情報が含まれている文書画像情報の入力を受け付ける文書画像入力受付手段と、前記文書画像入力受付手段により入力された前記文書画像情報を、文字情報が含まれており予め定められた基準で文字領域画像情報に分割する領域分割手段と、前記領域分割手段により分割された前記文字領域画像情報の画像サイズを、前記他の情報表示処理装置の画面サイズ及び前記画像サイズに基づいて該画面サイズの表示に適した前記画像サイズに変更する正規化処理手段と、前記領域分割手段により分割された前記文字領域画像情報、及び前記正規化処理手段により変更された前記文字領域情報を記憶する記憶手段と、前記他の情報表示処理装置から文書情報を送信する要求を受け付ける出力受付手段と、前記出力受付手段により前記他の情報表示処理装置から前記文書情報を送信する要求を受け付けた場合、前記他の情報表示処理装置の画面サイズに適した前記記憶手段に記憶された前記文字領域画像情報を出力する処理を行う出力処理手段と、を備えたことを特徴とする。
【００２８】
また、請求項１８にかかる発明は、他の情報表示処理装置で表示する対象となる文書情報が含まれている文書画像情報の入力を受け付ける文書画像入力受付手段と、前記文書画像入力受付手段により入力された前記文書画像情報を、文字情報が含まれており予め定められた基準で文字領域画像情報に分割する領域分割手段と、前記領域分割手段により分割された前記文字領域画像情報の配置を指示する文書構成情報を生成する構成生成手段と、前記領域分割手段により分割された前記文字領域画像情報と、さらに前記構成生成手段により生成された前記文書構成情報と、を対応付けて記憶する記憶手段と、前記他の情報表示処理装置から文書情報を送信する要求を受け付ける出力受付手段と、前記出力受付手段により前記他の情報表示処理装置から前記文書情報を送信する要求を受け付けた場合、前記記憶手段に記憶された前記文字領域画像情報と、前記文字領域画像情報と対応付けられていた前記文書構成情報を出力する処理を行う出力処理手段と、を備えたことを特徴とする。
【００２９】
また、請求項１９にかかる発明は、他の情報表示処理装置で表示する対象となる文書情報が含まれている文書画像情報の入力を受け付ける文書画像入力受付手段と、前記文書画像入力受付手段により入力された前記文書画像情報を、文字情報が含まれており予め定められた基準で文字領域画像情報に分割する領域分割手段と、前記領域分割手段により分割された前記文字領域画像情報の配置を指示する文書構成情報を生成する構成生成手段と、前記文書画像取得手段により取得した前記文書画像情報に含まれた文書情報について、予め定められた判断基準を満たした文書情報部分を抽出する基準領域抽出手段と、前記領域分割手段により分割された前記文字領域画像情報と、さらに前記構成生成手段により生成された前記文書構成情報と、を対応付けて記憶する記憶手段と、前記他の情報表示処理装置から文書情報を送信する要求を受け付ける出力受付手段と、前記出力受付手段により前記他の情報表示処理装置から前記文書情報を送信する要求を受け付けた場合、前記記憶手段に記憶された前記文字領域画像情報と、前記文字領域画像情報と対応付けられていた前記文書構成情報を出力する処理を行う出力処理手段と、を備えたことを特徴とする。
【００３０】
また、請求項２０にかかる発明は、文書情報の送信する要求を出力処理する要求出力処理手段と、前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、前記入力処理手段により入力された前記文書構成情報に基づいて、前記文字領域画像情報を再構成して文書情報を表示処理する表示処理手段と、を備えたことを特徴とする。
【００３１】
また、請求項２１にかかる発明は、文書情報の送信する要求を出力処理する要求出力処理手段と、前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、前記入力処理手段で入力された前記文書構成情報に含まれた領域特定情報により特定される前記文字領域画像情報を抽出する領域抽出手段と、前記領域抽出手段により抽出された前記文字領域画像情報を再構成して文書情報として表示処理する表示処理手段と、を備えたことを特徴とする。
【００３２】
また、請求項２２にかかる発明は、文書情報の送信する要求を出力処理する要求出力処理手段と、前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、前記入力処理手段で入力された前記文書構成情報に含まれた領域特定情報により特定される前記文字領域画像情報を抽出する領域抽出手段と、前記領域抽出手段により抽出された前記文字領域画像情報を再構成して文書情報として表示処理する表示処理手段と、前記表示処理手段により表示された前記文字領域画像情報を入力装置による選択を受け付ける選択受付手段と、を備え、前記表示処理手段は、前記選択受付手段により選択された前記文字領域画像情報と対応付けられており、且つ前記領域特定情報により特定されなかった前記文字領域画像情報を再構成して文書情報として表示処理することを特徴とする。
【００３３】
また、請求項２３にかかる発明は、文書情報の送信する要求を出力処理する要求出力処理手段と、前記要求出力処理手段により出力された前記要求の出力先から送信された予め定められた基準で文字情報が含まれた文字領域画像情報、及び該文字領域画像情報の配置を指示する文書構成情報を入力処理する入力処理手段と、前記入力処理手段で入力された前記文書構成情報に含まれた領域特定情報により特定される前記文字領域画像情報を抽出する領域抽出手段と、前記領域抽出手段により抽出された前記文字領域画像情報を文書情報として再構成して予め定められた画素値を用いて表示処理する表示処理手段と、を備えたことを特徴とする。
【００３４】
また、請求項２４にかかる発明は、文書情報の送信する要求を出力処理する要求出力処理手段と、前記要求出力処理手段により出力された前記要求の出力先から送信された予め定められた基準で文字情報が含まれた文字領域画像情報を入力処理する入力処理手段と、前記入力処理手段により入力された前記文字領域画像情報において、文字を構成する画素について白を示す画素値に、背景を構成する画素について黒を示す画素値に変更する画素値変更手段と、前記入力処理手段により入力された前記文字領域画像情報を文書情報として再構成して前記画素値変更手段により変更された前記画素値を用いて表示処理する表示処理手段と、を備えたことを特徴とする。
【００３５】
また、請求項２５にかかる発明は、文書情報の送信する要求を出力処理する要求出力処理手段と、前記要求出力処理手段により出力された前記要求の出力先から送信された予め定められた基準で文字情報が含まれた文字領域画像情報を入力処理する入力処理手段と、前記入力処理手段により入力された前記文字領域画像情報において、文字を構成する画素について高明度の画素値に、背景を構成する画素について低明度の画素値に変更する画素値変更手段と、前記入力処理手段により入力された前記文字領域画像情報を文書情報として再構成して前記画素値変更手段により変更された前記画素値を用いて表示処理する表示処理手段と、を備えたことを特徴とする。
【００３６】
また、請求項２６にかかる発明は、文書情報の送信する要求を出力処理する要求出力処理手段と、前記要求出力処理手段により出力された前記要求の出力先から送信された予め定められた基準で文字情報が含まれた文字領域画像情報を入力処理する入力処理手段と、電力を供給する量に制限を有する電源であるか否か判断する電源判断手段と、前記電源判断手段で電力の供給する量に制限を有すると判断した場合に、前記入力処理手段により入力された前記文字領域画像情報において、文字を構成する画素について高明度の画素値に、背景を構成する画素について低明度の画素値に変更する画素値変更手段と、前記入力処理手段により入力された前記文字領域画像情報を文書情報として再構成して前記画素値変更手段により変更された前記画素値を用いて表示処理する表示処理手段と、を備えたことを特徴とする。
【００３７】
また、請求項２７にかかる発明は、文書情報の送信する要求を出力処理する要求出力処理手段と、前記要求出力処理手段により出力された前記要求の出力先から送信された予め定められた基準で文字情報が含まれた文字領域画像情報を入力処理する入力処理手段と、電源から供給可能な電力量を取得する供給情報取得手段と、前記供給情報取得手段により取得した前記供給可能な電力量が所定の電力量以上か否か判断する供給情報判断手段と、前記供給情報判断手段により前記供給可能な電力量が所定の電力量以下と判断された場合に、前記入力処理手段により入力された前記文字領域画像情報において、文字を構成する画素について高明度の画素値に、背景を構成する画素について低明度の画素値に変更する画素値変更手段と、前記入力処理手段により入力された前記文字領域画像情報を文書情報として再構成して前記画素値変更手段により変更された前記画素値を用いて表示処理する表示処理手段と、を備えたことを特徴とする。
【００３８】
また、請求項２８にかかる発明は、文書情報の送信する要求を出力処理する要求出力処理手段と、前記要求出力処理手段により出力された前記要求の出力先から送信された予め定められた基準で文字情報が含まれた文字領域画像情報を入力処理する入力処理手段と、表示する際に用いる文字を構成する画素の画素値及び背景を構成する画素の画素値を保持する文字背景色保持手段と、前記入力処理手段により入力された前記文字領域画像情報を文書情報として再構成して前記文字背景色保持手段で保持している前記文字を構成する画素の画素値及び背景を構成する画素の画素値を用いて表示処理する表示処理手段と、を備えたことを特徴とする。
【００３９】
また、請求項２９にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報を記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報を出力する処理を行う出力処理ステップと、を備えたことを特徴とする。
【００４０】
また、請求項３０にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の画像サイズを、前記他の情報表示処理装置の画面サイズ及び前記画像サイズに基づいて該画面サイズの表示に適した前記画像サイズに変更する正規化処理ステップと、前記領域分割ステップにより分割された前記文字領域画像情報、及び前記正規化処理ステップにより画像サイズが変更された前記文字領域情報を記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記他の情報表示処理装置の画面サイズに適した前記記憶ステップに記憶された前記文字領域画像情報を出力する処理を行う出力処理ステップと、を備えたことを特徴とする。
【００４１】
また、請求項３１にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の配置を指示する文書構成情報を生成する構成生成ステップと、前記領域分割ステップにより分割された前記文字領域画像情報と、さらに前記構成生成ステップにより生成された前記文書構成情報と、を対応付けて記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、を備えたことを特徴とする。
【００４２】
また、請求項３２にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の配置を指示する文書構成情報を生成する構成生成ステップと、前記文書画像取得ステップにより取得した前記文書画像に含まれた文書情報について、予め定められた判断基準を満たした文書情報部分を抽出する基準領域抽出ステップと、前記領域分割ステップにより分割された前記文字領域画像情報と、さらに前記構成生成ステップにより生成された前記文書構成情報と、を対応付けて記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、を備えたことを特徴とする。
【００４３】
また、請求項３３にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報を再構成して文書情報として表示処理する表示処理ステップと、を備えたことを特徴とする。
【００４４】
また、請求項３４にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップにより入力された前記文書構成情報に基づいて、前記文字領域画像情報を再構成して文書情報を表示処理する表示処理ステップと、を備えたことを特徴とする。
【００４５】
また、請求項３５にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を再構成して文書情報として表示処理する表示処理ステップと、を備えたことを特徴とする。
【００４６】
また、請求項３６にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を再構成して文書情報として表示処理する表示処理ステップと、前記表示処理ステップにより表示された前記文字領域画像情報を入力装置による選択を受け付ける選択受付ステップと、を備え、前記表示処理ステップは、前記選択受付ステップにより選択された前記文字領域画像情報と対応付けられており、且つ前記領域特定情報により特定されなかった前記文字領域画像情報を再構成して文書情報として表示処理することを特徴とする。
【００４７】
また、請求項３７にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を文書情報として再構成して予め定められた画素値を用いて表示処理する表示処理ステップと、を備えたことを特徴とする。
【００４８】
また、請求項３８にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報において、文字を構成する画素について白を示す画素値に、背景を構成する画素について黒を示す画素値に変更する画素値変更ステップと、前記入力処理ステップにより入力された前記文字領域画像情報を文書情報として再構成して前記画素値変更ステップにより変更された前記画素値を用いて表示処理する表示処理ステップと、を備えたことを特徴とする。
【００４９】
また、請求項３９にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、を備えたことを特徴とする。
【００５０】
また、請求項４０にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、電力を供給する量に制限を有する電源であるか否か判断する電源判断ステップと、前記電源判断ステップで電力の供給する量に制限を有すると判断した場合に、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、を備えたことを特徴とする。
【００５１】
また、請求項４１にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、電源から供給可能な電力量を取得する供給情報取得ステップと、前記供給情報取得ステップにより取得した前記供給可能な電力量が所定の電力量以上か否か判断する供給情報判断ステップと、前記供給情報判断ステップにより前記供給可能な電力量が所定の電力量以下と判断された場合に、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、を備えたことを特徴とする。
【００５２】
また、請求項４２にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、表示する際に用いる文字を構成する画素の画素値及び背景を構成する画素の画素値を保持する文字背景色保持ステップと、前記入力処理ステップにより入力された前記文字領域画像情報を文書情報として再構成して前記文字背景色保持ステップで保持している前記文字を構成する画素の画素値及び背景を構成する画素の画素値を用いて表示処理する表示処理ステップと、を備えたことを特徴とする。
【００５３】
また、請求項４３にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報を記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報を出力する処理を行う出力処理ステップと、をコンピュータに実行させることを特徴とする。
【００５４】
また、請求項４４にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の画像サイズを、前記他の情報表示処理装置の画面サイズ及び前記画像サイズに基づいて該画面サイズの表示に適した前記画像サイズに変更する正規化処理ステップと、前記領域分割ステップにより分割された前記文字領域画像情報、及び前記正規化処理ステップにより画像サイズが変更された前記文字領域情報を記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記他の情報表示処理装置の画面サイズに適した前記記憶ステップに記憶された前記文字領域画像情報を出力する処理を行う出力処理ステップと、をコンピュータに実行させることを特徴とする。
【００５５】
また、請求項４５にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の配置を指示する文書構成情報を生成する構成生成ステップと、前記領域分割ステップにより分割された前記文字領域画像情報と、さらに前記構成生成ステップにより生成された前記文書構成情報と、を対応付けて記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、をコンピュータに実行させることを特徴とする。
【００５６】
また、請求項４６にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の配置を指示する文書構成情報を生成する構成生成ステップと、前記文書画像取得ステップにより取得した前記文書画像に含まれた文書情報について、予め定められた判断基準を満たした文書情報部分を抽出する基準領域抽出ステップと、前記領域分割ステップにより分割された前記文字領域画像情報と、さらに前記構成生成ステップにより生成された前記文書構成情報と、を対応付けて記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、をコンピュータに実行させることを特徴とする。
【００５７】
また、請求項４７にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報を再構成して文書情報として表示処理する表示処理ステップと、をコンピュータに実行させることを特徴とする。
【００５８】
また、請求項４８にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップにより入力された前記文書構成情報に基づいて、前記文字領域画像情報を再構成して文書情報を表示処理する表示処理ステップと、をコンピュータに実行させることを特徴とする。
【００５９】
また、請求項４９にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を再構成して文書情報として表示処理する表示処理ステップと、をコンピュータに実行させることを特徴とする。
【００６０】
また、請求項５０にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を再構成して文書情報として表示処理する表示処理ステップと、前記表示処理ステップにより表示された前記文字領域画像情報を入力装置による選択を受け付ける選択受付ステップと、をコンピュータに実行させ、前記表示処理ステップは、前記選択受付ステップにより選択された前記文字領域画像情報と対応付けられており、且つ前記領域特定情報により特定されなかった前記文字領域画像情報を再構成して文書情報として表示処理することを特徴とする。
【００６１】
また、請求項５１にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を文書情報として再構成して予め定められた画素値を用いて表示処理する表示処理ステップと、をコンピュータに実行させることを特徴とする。
【００６２】
また、請求項５２にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報において、文字を構成する画素について白を示す画素値に、背景を構成する画素について黒を示す画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００６３】
また、請求項５３にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００６４】
また、請求項５４にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、電力を供給する量に制限を有する電源であるか否か判断する電源判断ステップと、前記電源判断ステップで電力の供給する量に制限を有すると判断した場合に、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００６５】
また、請求項５５にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、電源から供給可能な電力量を取得する供給情報取得ステップと、前記供給情報取得ステップにより取得した前記供給可能な電力量が所定の電力量以上か否か判断する供給情報判断ステップと、前記供給情報判断ステップにより前記供給可能な電力量が所定の電力量以下と判断された場合に、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００６６】
また、請求項５６にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、表示する際に用いる文字を構成する画素の画素値及び背景を構成する画素の画素値を保持する文字背景色保持ステップと、前記入力処理ステップにより入力された前記文字領域画像情報を文書情報として再構成して前記文字背景色保持ステップで保持している前記文字を構成する画素の画素値及び背景を構成する画素の画素値を用いて表示処理する表示処理ステップと、をコンピュータに実行させることを特徴とする。
【００６７】
また、請求項５７にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報を記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報を出力する処理を行う出力処理ステップと、をコンピュータに実行させることを特徴とする。
【００６８】
また、請求項５８にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の画像サイズを、前記他の情報表示処理装置の画面サイズ及び前記画像サイズに基づいて該画面サイズの表示に適した前記画像サイズに変更する正規化処理ステップと、前記領域分割ステップにより分割された前記文字領域画像情報、及び前記正規化処理ステップにより画像サイズが変更された前記文字領域情報を記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記他の情報表示処理装置の画面サイズに適した前記記憶ステップに記憶された前記文字領域画像情報を出力する処理を行う出力処理ステップと、をコンピュータに実行させることを特徴とする。
【００６９】
また、請求項５９にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の配置を指示する文書構成情報を生成する構成生成ステップと、前記領域分割ステップにより分割された前記文字領域画像情報と、さらに前記構成生成ステップにより生成された前記文書構成情報と、を対応付けて記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、をコンピュータに実行させることを特徴とする。
【００７０】
また、請求項６０にかかる発明は、他の情報表示処理装置で表示する対象となる文書情報が含まれている文書画像情報の入力を受け付ける文書画像入力受付ステップと、前記文書画像入力受付ステップにより入力された前記文書画像情報を、文字情報が含まれており予め定められた基準で文字領域画像情報に分割する領域分割ステップと、前記領域分割ステップにより分割された前記文字領域画像情報の配置を指示する文書構成情報を生成する構成生成ステップと、前記文書画像取得ステップにより取得した前記文書画像に含まれた文書情報について、予め定められた判断基準を満たした文書情報部分を抽出する基準領域抽出ステップと、前記領域分割ステップにより分割された前記文字領域画像情報と、さらに前記構成生成ステップにより生成された前記文書構成情報と、を対応付けて記憶する記憶ステップと、前記他の情報表示処理装置から文書情報を送信する要求を受け付ける出力受付ステップと、前記出力受付ステップにより前記他の情報表示処理装置から前記文書情報を送信する要求を受け付けた場合、前記記憶ステップに記憶された前記文字領域画像情報と、前記文字領域画像情報と対応付けられていた前記文書構成情報を出力する処理を行う出力処理ステップと、をコンピュータに実行させることを特徴とする。
【００７１】
また、請求項６１にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報を再構成して文書情報として表示処理する表示処理ステップと、をコンピュータに実行させることを特徴とする。
【００７２】
また、請求項６２にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップにより入力された前記文書構成情報に基づいて、前記文字領域画像情報を再構成して文書情報を表示処理する表示処理ステップと、をコンピュータに実行させることを特徴とする。
【００７３】
また、請求項６３にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を再構成して文書情報として表示処理する表示処理ステップと、をコンピュータに実行させることを特徴とする。
【００７４】
また、請求項６４にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を再構成して文書情報として表示処理する表示処理ステップと、前記表示処理ステップにより表示された前記文字領域画像情報を入力装置による選択を受け付ける選択受付ステップと、をコンピュータに実行させ、前記表示処理ステップは、前記選択受付ステップにより選択された前記文字領域画像情報と対応付けられており、且つ前記領域特定情報により特定されなかった前記文字領域画像情報を再構成して文書情報として表示処理することを特徴とする。
【００７５】
また、請求項６５にかかる発明は、文書情報の送信する要求を出力処理する要求出力処理ステップと、前記要求出力処理ステップにより出力された前記要求の出力先から送信された予め定められた基準で文字情報が含まれた文字領域画像情報、及び該文字領域画像情報の配置を指示する文書構成情報を入力処理する入力処理ステップと、前記入力処理ステップで入力された前記文書構成情報に含まれた領域特定情報により特定される前記文字領域画像情報を抽出する領域抽出ステップと、前記領域抽出ステップにより抽出された前記文字領域画像情報を文書情報として再構成して予め定められた画素値を用いて表示処理する表示処理ステップと、をコンピュータに実行させることを特徴とする。
【００７６】
また、請求項６６にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報において、文字を構成する画素について白を示す画素値に、背景を構成する画素について黒を示す画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００７７】
また、請求項６７にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００７８】
また、請求項６８にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、電力を供給する量に制限を有する電源であるか否か判断する電源判断ステップと、前記電源判断ステップで電力の供給する量に制限を有すると判断した場合に、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００７９】
また、請求項６９にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、電源から供給可能な電力量を取得する供給情報取得ステップと、前記供給情報取得ステップにより取得した前記供給可能な電力量が所定の電力量以上か否か判断する供給情報判断ステップと、前記供給情報判断ステップにより前記供給可能な電力量が所定の電力量以下と判断された場合に、前記入力処理ステップにより入力された前記文字領域画像情報において、文字を構成する画素について高明度の画素値に、背景を構成する画素について低明度の画素値に変更する画素値変更ステップと、前記入力処理ステップにより入力された前記文字領域画像情報を文書情報として再構成して前記画素値変更ステップにより変更された前記画素値を用いて表示処理する表示処理ステップと、をコンピュータに実行させることを特徴とする。
【００８０】
また、請求項７０にかかる発明は、文書情報の送信する要求を出力処理する要求出力処理ステップと、前記要求出力処理ステップにより出力された前記要求の出力先から送信された予め定められた基準で文字情報が含まれた文字領域画像情報を入力処理する入力処理ステップと、表示する際に用いる文字を構成する画素の画素値及び背景を構成する画素の画素値を保持する文字背景色保持ステップと、前記入力処理ステップにより入力された前記文字領域画像情報を文書情報として再構成して前記文字背景色保持ステップで保持している前記文字を構成する画素の画素値及び背景を構成する画素の画素値を用いて表示処理する表示処理ステップと、をコンピュータに実行させることを特徴とする。
【発明の効果】
【００８１】
請求項１にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させたという効果を奏する。
【００８２】
また、請求項２にかかる発明によれば、他の情報表示処理装置に適した画像サイズの文字領域画像情報に変更されるので、閲覧性が向上するという効果を奏する。
【００８３】
また、請求項３にかかる発明によれば、文字領域画像情報の配置を指示する文書構成情報が出力されることで、他の情報表示処理装置は文書構成情報を用いて文字領域画像情報の配置を設定できるので、表示処理が容易になるという効果を奏する。
【００８４】
また、請求項４にかかる発明によれば、判断基準を満たした文字領域画像情報を特定可能としたので、表示する際に判断基準を満たした文字領域画像情報に対して特定の処理を行うことを可能にしたため、閲覧性が向上するという効果を奏する。
【００８５】
また、請求項５にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させたという効果を奏する。
【００８６】
また、請求項６にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させたという効果を奏する。
【００８７】
また、請求項７にかかる発明によれば、分割処理等を行わずに、文字領域画像情報を再構成して文書情報を表示する処理を可能にしているため、閲覧性を向上させると共に表する際の処理負担を低減するという効果を奏する。
【００８８】
また、請求項８にかかる発明によれば、文書構成情報に基づいて文書情報の再構成を可能にしたので、表示処理が容易になるという効果を奏する。
【００８９】
また、請求項９にかかる発明によれば、領域特定情報で抽出された文字領域画像情報を表示処理することで、文書情報全体の概要を把握することが可能となり概観性が向上するという効果を奏する。
【００９０】
また、請求項１０にかかる発明によれば、選択された文字領域画像情報に対応する文字領域画像情報を表示するため、詳細な文書情報が表示されることとなり、利便性が向上するという効果を奏する。
【００９１】
また、請求項１１にかかる発明によれば、領域抽出手段により抽出された文字領域画像情報を予め定められた画素値を用いて表示処理することで、利用者が抽出された文字領域画像情報を特定することが可能になるため、視認性が向上するという効果を奏する。
【００９２】
また、請求項１２にかかる発明によれば、白と黒を切り替えて表示処理が行われることとなり、情報表示処理装置の駆動時間を長くすることが可能という効果を奏する。
【００９３】
また、請求項１３にかかる発明によれば、背景を低明度に文字を高明度に変更して表示処理が行われることとなり、情報表示処理装置の駆動時間を長くすることが可能という効果を奏する。
【００９４】
また、請求項１４にかかる発明によれば、電源に応じて画素値を切り替えることとしたため、電力を供給する量に制限のある場合には駆動時間を長くすることが可能という効果を奏する。
【００９５】
また、請求項１５にかかる発明によれば、供給可能な電力量が所定の電力量以下の場合に画素値を切り替えることとしたため、駆動時間を長くすることが可能という効果を奏する。
【００９６】
また、請求項１６にかかる発明によれば、利用者の嗜好に合わせて表示する色を変更することが可能となり、利便性が向上するという効果を奏する。
【００９７】
また、請求項１７にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、他の情報表示処理装置に適した画像サイズの文字領域画像情報に変更されるので、さらに閲覧性が向上するという効果を奏する。
【００９８】
また、請求項１８にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、文字領域画像情報の配置を指示する文書構成情報が出力されることで、他の情報表示処理装置は文書構成情報を用いて文字領域画像情報の配置を設定できるので、表示処理が容易になるという効果を奏する。
【００９９】
また、請求項１９にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、判断基準を満たした文字領域画像情報を特定可能としたので、表示する際に判断基準を満たした文字領域画像情報に対して特定の処理を行うことを可能にしたため、さらに閲覧性が向上するという効果を奏する。
【０１００】
また、請求項２０にかかる発明によれば、分割処理等を行わずに、文字領域画像情報を再構成して文書情報を表示する処理を可能にしているため、閲覧性を向上させると共に表する際の処理負担を低減するとともに、文書構成情報に基づいて文書情報の再構成を可能にしたので、表示処理が容易になるという効果を奏する。
【０１０１】
また、請求項２１にかかる発明によれば、分割処理等を行わずに、文字領域画像情報を再構成して文書情報を表示する処理を可能にしているため、閲覧性を向上させると共に表する際の処理負担を低減するとともに、領域特定情報で抽出された文字領域画像情報を表示処理することで、文書情報全体の概要を把握することが可能となり概観性が向上するという効果を奏する。
【０１０２】
また、請求項２２にかかる発明によれば、分割処理等を行わずに、文字領域画像情報を再構成して文書情報を表示する処理を可能にしているため、閲覧性を向上させると共に表する際の処理負担を低減するとともに、選択された文字領域画像情報に対応する文字領域画像情報を表示するため、詳細な文書情報が表示されることとなり、利便性が向上するという効果を奏する。
【０１０３】
また、請求項２３にかかる発明によれば、分割処理等を行わずに、文字領域画像情報を再構成して文書情報を表示する処理を可能にしているため、閲覧性を向上させると共に表する際の処理負担を低減するとともに、域抽出手段により抽出された文字領域画像情報を予め定められた画素値を用いて表示処理することで、利用者が抽出された文字領域画像情報を特定することが可能になるため、視認性が向上するという効果を奏する。
【０１０４】
また、請求項２４にかかる発明によれば、分割処理等を行わずに、文字領域画像情報を再構成して文書情報を表示する処理を可能にしているため、閲覧性を向上させると共に表する際の処理負担を低減するとともに、白と黒を切り替えて表示処理が行われることとなり、情報表示処理装置の駆動時間を長くすることが可能という効果を奏する。
【０１０５】
また、請求項２５にかかる発明によれば、分割処理等を行わずに、文字領域画像情報を再構成して文書情報を表示する処理を可能にしているため、閲覧性を向上させると共に表する際の処理負担を低減するとともに、背景を低明度に文字を高明度に変更して表示処理が行われることとなり、情報表示処理装置の駆動時間を長くすることが可能という効果を奏する。
【０１０６】
また、請求項２６にかかる発明によれば、分割処理等を行わずに、文字領域画像情報を再構成して文書情報を表示する処理を可能にしているため、閲覧性を向上させると共に表する際の処理負担を低減するとともに、電源に応じて画素値を切り替えることとしたため、電力を供給する量に制限のある場合には駆動時間を長くすることが可能という効果を奏する。
【０１０７】
また、請求項２７にかかる発明によれば、分割処理等を行わずに、文字領域画像情報を再構成して文書情報を表示する処理を可能にしているため、閲覧性を向上させると共に表する際の処理負担を低減するとともに、供給可能な電力量が所定の電力量以下の場合に画素値を切り替えることとしたため、駆動時間を長くすることが可能という効果を奏する。
【０１０８】
また、請求項２８にかかる発明によれば、分割処理等を行わずに、文字領域画像情報を再構成して文書情報を表示する処理を可能にしているため、閲覧性を向上させると共に表する際の処理負担を低減するとともに、利用者の嗜好に合わせて表示する色を変更することが可能となり、利便性が向上するという効果を奏する。
【０１０９】
また、請求項２９にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させたという効果を奏する。
【０１１０】
また、請求項３０にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、他の情報表示処理装置に適した画像サイズの文字領域画像情報に変更されるので、さらに閲覧性が向上するという効果を奏する。
【０１１１】
また、請求項３１にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、文字領域画像情報の配置を指示する文書構成情報が出力されることで、他の情報表示処理装置は文書構成情報を用いて文字領域画像情報の配置を設定できるので、表示処理が容易になるという効果を奏する。
【０１１２】
また、請求項３２にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、判断基準を満たした文字領域画像情報を特定可能としたので、表示する際に判断基準を満たした文字領域画像情報に対して特定の処理を行うことを可能にしたため、さらに閲覧性が向上するという効果を奏する。
【０１１３】
また、請求項３３にかかる発明によれば、分割処理等を行わずに、文字領域画像情報を再構成して文書情報を表示する処理を可能にしているため、閲覧性を向上させると共に表する際の処理負担を低減するという効果を奏する。
【０１１４】
また、請求項３４にかかる発明によれば、分割処理等を行わずに、文字領域画像情報を再構成して文書情報を表示する処理を可能にしているため、閲覧性を向上させると共に表する際の処理負担を低減するとともに、文書構成情報に基づいて文書情報の再構成を可能にしたので、表示処理が容易になるという効果を奏する。
【０１１５】
また、請求項３５にかかる発明によれば、分割処理等を行わずに、文字領域画像情報を再構成して文書情報を表示する処理を可能にしているため、閲覧性を向上させると共に表する際の処理負担を低減するとともに、領域特定情報で抽出された文字領域画像情報を表示処理することで、文書情報全体の概要を把握することが可能となり概観性が向上するという効果を奏する。
【０１１６】
また、請求項３６にかかる発明によれば、分割処理等を行わずに、文字領域画像情報を再構成して文書情報を表示する処理を可能にしているため、閲覧性を向上させると共に表する際の処理負担を低減するとともに、選択された文字領域画像情報に対応する文字領域画像情報を表示するため、詳細な文書情報が表示されることとなり、利便性が向上するという効果を奏する。
【０１１７】
また、請求項３７にかかる発明によれば、分割処理等を行わずに、文字領域画像情報を再構成して文書情報を表示する処理を可能にしているため、閲覧性を向上させると共に表する際の処理負担を低減するとともに、域抽出手段により抽出された文字領域画像情報を予め定められた画素値を用いて表示処理することで、利用者が抽出された文字領域画像情報を特定することが可能になるため、視認性が向上するという効果を奏する。
【０１１８】
また、請求項３８にかかる発明によれば、分割処理等を行わずに、文字領域画像情報を再構成して文書情報を表示する処理を可能にしているため、閲覧性を向上させると共に表する際の処理負担を低減するとともに、白と黒を切り替えて表示処理が行われることとなり、情報表示処理装置の駆動時間を長くすることが可能という効果を奏する。
【０１１９】
また、請求項３９にかかる発明によれば、分割処理等を行わずに、文字領域画像情報を再構成して文書情報を表示する処理を可能にしているため、閲覧性を向上させると共に表する際の処理負担を低減するとともに、背景を低明度に文字を高明度に変更して表示処理が行われることとなり、情報表示処理装置の駆動時間を長くすることが可能という効果を奏する。
【０１２０】
また、請求項４０にかかる発明によれば、分割処理等を行わずに、文字領域画像情報を再構成して文書情報を表示する処理を可能にしているため、閲覧性を向上させると共に表する際の処理負担を低減するとともに、電源に応じて画素値を切り替えることとしたため、電力を供給する量に制限のある場合には駆動時間を長くすることが可能という効果を奏する。
【０１２１】
また、請求項４１にかかる発明によれば、分割処理等を行わずに、文字領域画像情報を再構成して文書情報を表示する処理を可能にしているため、閲覧性を向上させると共に表する際の処理負担を低減するとともに、供給可能な電力量が所定の電力量以下の場合に画素値を切り替えることとしたため、駆動時間を長くすることが可能という効果を奏する。
【０１２２】
また、請求項４２にかかる発明によれば、分割処理等を行わずに、文字領域画像情報を再構成して文書情報を表示する処理を可能にしているため、閲覧性を向上させると共に表する際の処理負担を低減するとともに、利用者の嗜好に合わせて表示する色を変更することが可能となり、利便性が向上するという効果を奏する。
【０１２３】
また、請求項４３にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させたという効果を奏する。
【０１２４】
また、請求項４４にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、他の情報表示処理装置に適した画像サイズの文字領域画像情報に変更されるので、さらに閲覧性が向上するという効果を奏する。
【０１２５】
また、請求項４５にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、文字領域画像情報の配置を指示する文書構成情報が出力されることで、他の情報表示処理装置は文書構成情報を用いて文字領域画像情報の配置を設定できるので、表示処理が容易になるという効果を奏する。
【０１２６】
また、請求項４６にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、判断基準を満たした文字領域画像情報を特定可能としたので、表示する際に判断基準を満たした文字領域画像情報に対して特定の処理を行うことを可能にしたため、さらに閲覧性が向上するという効果を奏する。
【０１２７】
また、請求項４７にかかる発明によれば、分割処理等を行わずに、文字領域画像情報を再構成して文書情報を表示する処理を可能にしているため、閲覧性を向上させると共に表する際の処理負担を低減するという効果を奏する。
【０１２８】
また、請求項４８にかかる発明によれば、分割処理等を行わずに、文字領域画像情報を再構成して文書情報を表示する処理を可能にしているため、閲覧性を向上させると共に表する際の処理負担を低減するとともに、文書構成情報に基づいて文書情報の再構成を可能にしたので、表示処理が容易になるという効果を奏する。
【０１２９】
また、請求項４９にかかる発明によれば、分割処理等を行わずに、文字領域画像情報を再構成して文書情報を表示する処理を可能にしているため、閲覧性を向上させると共に表する際の処理負担を低減するとともに、領域特定情報で抽出された文字領域画像情報を表示処理することで、文書情報全体の概要を把握することが可能となり概観性が向上するという効果を奏する。
【０１３０】
また、請求項５０にかかる発明によれば、分割処理等を行わずに、文字領域画像情報を再構成して文書情報を表示する処理を可能にしているため、閲覧性を向上させると共に表する際の処理負担を低減するとともに、選択された文字領域画像情報に対応する文字領域画像情報を表示するため、詳細な文書情報が表示されることとなり、利便性が向上するという効果を奏する。
【０１３１】
また、請求項５１にかかる発明によれば、分割処理等を行わずに、文字領域画像情報を再構成して文書情報を表示する処理を可能にしているため、閲覧性を向上させると共に表する際の処理負担を低減するとともに、域抽出手段により抽出された文字領域画像情報を予め定められた画素値を用いて表示処理することで、利用者が抽出された文字領域画像情報を特定することが可能になるため、視認性が向上するという効果を奏する。
【０１３２】
また、請求項５２にかかる発明によれば、分割処理等を行わずに、文字領域画像情報を再構成して文書情報を表示する処理を可能にしているため、閲覧性を向上させると共に表する際の処理負担を低減するとともに、白と黒を切り替えて表示処理が行われることとなり、情報表示処理装置の駆動時間を長くすることが可能という効果を奏する。
【０１３３】
また、請求項５３にかかる発明によれば、分割処理等を行わずに、文字領域画像情報を再構成して文書情報を表示する処理を可能にしているため、閲覧性を向上させると共に表する際の処理負担を低減するとともに、背景を低明度に文字を高明度に変更して表示処理が行われることとなり、情報表示処理装置の駆動時間を長くすることが可能という効果を奏する。
【０１３４】
また、請求項５４にかかる発明によれば、分割処理等を行わずに、文字領域画像情報を再構成して文書情報を表示する処理を可能にしているため、閲覧性を向上させると共に表する際の処理負担を低減するとともに、電源に応じて画素値を切り替えることとしたため、電力を供給する量に制限のある場合には駆動時間を長くすることが可能という効果を奏する。
【０１３５】
また、請求項５５にかかる発明によれば、分割処理等を行わずに、文字領域画像情報を再構成して文書情報を表示する処理を可能にしているため、閲覧性を向上させると共に表する際の処理負担を低減するとともに、供給可能な電力量が所定の電力量以下の場合に画素値を切り替えることとしたため、駆動時間を長くすることが可能という効果を奏する。
【０１３６】
また、請求項５６にかかる発明によれば、分割処理等を行わずに、文字領域画像情報を再構成して文書情報を表示する処理を可能にしているため、閲覧性を向上させると共に表する際の処理負担を低減するとともに、利用者の嗜好に合わせて表示する色を変更することが可能となり、利便性が向上するという効果を奏する。
【０１３７】
また、請求項５７にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させたという効果を奏する。
【０１３８】
また、請求項５８にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、他の情報表示処理装置に適した画像サイズの文字領域画像情報に変更されるので、さらに閲覧性が向上するという効果を奏する。
【０１３９】
また、請求項５９にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、文字領域画像情報の配置を指示する文書構成情報が出力されることで、他の情報表示処理装置は文書構成情報を用いて文字領域画像情報の配置を設定できるので、表示処理が容易になるという効果を奏する。
【０１４０】
また、請求項６０にかかる発明によれば、他の情報表示処理装置に分割された文字領域画像情報を出力するので、他の情報表示処理装置は分割等の処理をせずとも、文書情報を再構成して表示することが可能なので、文書の閲覧性を向上させつつ表示する際の処理を低減させると共に、判断基準を満たした文字領域画像情報を特定可能としたので、表示する際に判断基準を満たした文字領域画像情報に対して特定の処理を行うことを可能にしたため、さらに閲覧性が向上するという効果を奏する。
【０１４１】
また、請求項６１にかかる発明によれば、分割処理等を行わずに、文字領域画像情報を再構成して文書情報を表示する処理を可能にしているため、閲覧性を向上させると共に表する際の処理負担を低減するという効果を奏する。
【０１４２】
また、請求項６２にかかる発明によれば、分割処理等を行わずに、文字領域画像情報を再構成して文書情報を表示する処理を可能にしているため、閲覧性を向上させると共に表する際の処理負担を低減するとともに、文書構成情報に基づいて文書情報の再構成を可能にしたので、表示処理が容易になるという効果を奏する。
【０１４３】
また、請求項６３にかかる発明によれば、分割処理等を行わずに、文字領域画像情報を再構成して文書情報を表示する処理を可能にしているため、閲覧性を向上させると共に表する際の処理負担を低減するとともに、領域特定情報で抽出された文字領域画像情報を表示処理することで、文書情報全体の概要を把握することが可能となり概観性が向上するという効果を奏する。
【０１４４】
また、請求項６４にかかる発明によれば、分割処理等を行わずに、文字領域画像情報を再構成して文書情報を表示する処理を可能にしているため、閲覧性を向上させると共に表する際の処理負担を低減するとともに、選択された文字領域画像情報に対応する文字領域画像情報を表示するため、詳細な文書情報が表示されることとなり、利便性が向上するという効果を奏する。
【０１４５】
また、請求項６５にかかる発明によれば、分割処理等を行わずに、文字領域画像情報を再構成して文書情報を表示する処理を可能にしているため、閲覧性を向上させると共に表する際の処理負担を低減するとともに、域抽出手段により抽出された文字領域画像情報を予め定められた画素値を用いて表示処理することで、利用者が抽出された文字領域画像情報を特定することが可能になるため、視認性が向上するという効果を奏する。
【０１４６】
また、請求項６６にかかる発明によれば、分割処理等を行わずに、文字領域画像情報を再構成して文書情報を表示する処理を可能にしているため、閲覧性を向上させると共に表する際の処理負担を低減するとともに、白と黒を切り替えて表示処理が行われることとなり、情報表示処理装置の駆動時間を長くすることが可能という効果を奏する。
【０１４７】
また、請求項６７にかかる発明によれば、分割処理等を行わずに、文字領域画像情報を再構成して文書情報を表示する処理を可能にしているため、閲覧性を向上させると共に表する際の処理負担を低減するとともに、背景を低明度に文字を高明度に変更して表示処理が行われることとなり、情報表示処理装置の駆動時間を長くすることが可能という効果を奏する。
【０１４８】
また、請求項６８にかかる発明によれば、分割処理等を行わずに、文字領域画像情報を再構成して文書情報を表示する処理を可能にしているため、閲覧性を向上させると共に表する際の処理負担を低減するとともに、電源に応じて画素値を切り替えることとしたため、電力を供給する量に制限のある場合には駆動時間を長くすることが可能という効果を奏する。
【０１４９】
また、請求項６９にかかる発明によれば、分割処理等を行わずに、文字領域画像情報を再構成して文書情報を表示する処理を可能にしているため、閲覧性を向上させると共に表する際の処理負担を低減するとともに、供給可能な電力量が所定の電力量以下の場合に画素値を切り替えることとしたため、駆動時間を長くすることが可能という効果を奏する。
【０１５０】
また、請求項７０にかかる発明によれば、分割処理等を行わずに、文字領域画像情報を再構成して文書情報を表示する処理を可能にしているため、閲覧性を向上させると共に表する際の処理負担を低減するとともに、利用者の嗜好に合わせて表示する色を変更することが可能となり、利便性が向上するという効果を奏する。
【発明を実施するための最良の形態】
【０１５１】
以下に添付図面を参照して、この発明にかかる情報管理装置、サーバ、画像形成装置、情報表示処理装置、情報管理方法、情報表示処理方法、情報管理プログラム、情報表示処理プログラム及びコンピュータ読み取り可能な記録媒体の最良な実施の形態を詳細に説明する。
【０１５２】
（第１の実施の形態）
図１は、第１の実施の形態にかかる情報管理装置を実現した文書管理サーバ１、スキャナ２、プリンタ３並びに、情報表示処理装置を実現したクライアントＰＣ５ａ〜ｎ、ＰＤＡ６ａ〜ｎ及び携帯電話７ａ〜ｎの接続されたネットワーク構成を示した図である。本図に示すように、スキャナ２で書籍等の各ページを文書画像データとして読み取る。読み取られた文書画像データは文書管理サーバ１に蓄積される。この文書画像データは、文書管理サーバ１によりクライアントＰＣ５ａ〜ｎ、ＰＤＡ６ａ〜ｎ及び携帯電話７ａ〜ｎ等の各通信可能な情報表示処理装置で表示可能な文書情報として再構成される。この再構成された文書情報が、クライアントＰＣ５ａ〜ｎ、ＰＤＡ６ａ〜ｎ及び携帯電話７ａ〜ｎに送信される。また、文書管理サーバ１に蓄積された文書画像データをプリンタ３で出力する。なお、文書画像データから再構成される文書情報については後述する。
【０１５３】
これら、クライアントＰＣ５ａ〜ｎ、ＰＤＡ６ａ〜ｎ及び携帯電話７ａ〜ｎ等は、換言すれば他の情報表示処理装置に相当する。
【０１５４】
また、本実施の形態では、文書管理サーバ１、スキャナ２及びプリンタ３がＬＡＮ（Local Aria Network）５で接続され、これらとクライアントＰＣ５ａ〜ｎ、ＰＤＡ６ａ〜ｎ及び携帯電話７ａ〜ｎとをインターネットなどの公衆ネットワーク４で接続されている。ただし、本発明の接続方法をこのような接続方法に制限するものではなく、無線又は有線を問わずデータを送受信可能な通信方法であればどのような通信方法を用いても良い。
【０１５５】
また、文書管理サーバ１から、クライアントＰＣ５ａ〜ｎ、ＰＤＡ６ａ〜ｎ及び携帯電話７ａ〜ｎとのデータにデータを移す際に、メモリカード又はＣＤ−Ｒ等などのメディアを介してもよい。
【０１５６】
この文書画像データは、文書内容が含まれた画像をいい、換言すれば文書画像情報に相当する。文書画像データは、書籍などの文書をスキャンしたものに制限せず、チラシ若しくはカタログ等の文書が含まれた画像であればどのような画像でも良い。
【０１５７】
また、文書管理サーバ１は、文書画像データ及び再構成された文書情報を保持しているので、例えばクライアントＰＣ５ａ〜ｎ、ＰＤＡ６ａ〜ｎ及び携帯電話７ａ〜ｎで再構成された文書情報を参照した後で印刷要求がなされた場合、文書管理サーバ１に蓄積している元の文書画像データを印刷することができるので利便性が向上すると共に、構成が変更されていない元の文書画像データが参照できるので閲覧性が向上する。
【０１５８】
また、スキャナ２、プリンタ３を一体化したＭＦＰ（Multi-Function Peripherals）をネットワークに接続しても良い。また、本実施の形態は、文書の文書画像データのスキャナ２で読み込んでから文書管理サーバ１に蓄積することに制限するものではなく、例えばネットワーク上の他の機器から送信又はＣＤ又はＤＶＤ（Digital Versatile Disk）等のメディアから取得して蓄積したものでもよい。
【０１５９】
図２は、第１の実施の形態にかかる文書管理サーバ１の構成を示すブロック図である。本図に示すように文書管理サーバ１の内部は、記憶部１０１と、通信制御部１０２と、文書画像取得部１０３と、２値化処理部１０４と、文書構造解析部１０５と、領域分割部１０６と、正規化部１０７と、構成生成部１０８と、出力受付部１０９と、出力処理部１１０と、入出力制御部１１１と、を備え、入力された文書画像データを再構成可能な文字領域画像に分割し、分割された文字領域画像を文書情報として表示する際に用いるＨＴＭＬファイルと共に当該文字領域画像を蓄積し、クライアントＰＣ５ａ〜ｎ、ＰＤＡ６ａ〜ｎ及び携帯電話７ａ〜ｎ〜等の機器から送信要求を受け付けた場合に文書構成ＨＴＭＬファイル及び文字領域画像を出力する。
【０１６０】
記憶部１０１は、文書画像データ、並びに文書画像データから再構成された画像領域画像、文字領域画像及び文書構成ＨＴＭＬファイルを記憶する。また、記憶部１０７は、例えばＨＤＤ、光ディスク、メモリカードなどの一般的に用いられるあらゆる記憶手段で構成することができる。
【０１６１】
画像領域画像とは文書画像データに含まれていた画像領域を抽出して分割された画像をいう。文字領域画像とは文書画像データに含まれていた文書領域を所定の画像サイズに分割した画像をいう。そして、文書構成ＨＴＭＬファイルは、画像領域画像及び文字領域画像を用いて文書情報として再構成するために、これら画像の配置情報を含んだＨＴＭＬファイルをいう。
【０１６２】
また、記憶部１０１は、情報表示処理装置の機種又はカテゴリ毎に正規化された画像領域画像、文字領域画像を、情報表示処理装置の機種又はカテゴリで特定可能な状態で保持する。これにより情報表示処理装置の機種又はカテゴリにより適切な画像領域画像及び文字領域画像を特定することができる。この特定可能な状態としては機種又はカテゴリ毎に異なるディレクトリに保持する又はデータベースで対応関係を保持するなどが考えられる。
【０１６３】
図３は、文書画像データの一例を示した図である。本図に示すように文書画像データは、書籍等の各ページをスキャンして取り込んだ画像となる。この画像を用いた分割処理を行うこととする。
【０１６４】
図４は、図３で示した文書画像データから分割された画像領域画像及び文字領域画像の一例を示した図である。本図に示すように、画像領域画像は、文書画像データに含まれている画像の領域を抽出して分割された画像を示したものである。また、文字領域画像は、文書画像データに含まれている文書領域を抽出してから、所定の画像サイズで分割された画像を示したものである。本実施の形態では、文字領域画像は、一文字ずつ切り出すこととしたが、切り出しサイズに制限を設けるものではなく、他にも数文字単位や一行単位等を所定の画像サイズとして切り出しても良い。
【０１６５】
図５は、図４で示した画像領域画像及び文字領域画像を用いて文書情報を表示する際に用いられる文書構成ＨＴＭＬファイルの一例を示した図である。本図に示すように、ＨＴＭＬファイル内のタグによる定義で、分割された画像領域画像及び文字領域画像を、読み準、配置順を勘案した配置になるように指示することができる。さらに、非表示タグ５０１内で元となる文書画像データのファイル名を保持している。これで元となる文書画像データを特定できるので、印刷要求を行う場合に元の文書画像データを用いて印刷処理を行うことができる。また、ＨＴＭＬファイル以外にもスタイルシートを用いてさらに行間など細かく制御しても良い。
【０１６６】
また、クライアントＰＣ５ａ〜ｎ、ＰＤＡ６ａ〜ｎ及び携帯電話７ａ〜ｎ〜等のカテゴリ毎に画面サイズが異なるので、記憶部１０１内にカテゴリ毎に異なるスタイルシート等を記憶しても良い。また、本実施の形態では、画像領域画像及び文字領域画像を配置するためにＨＴＭＬファイルを用いたが、画像領域画像及び文字領域画像等の読み順等を考慮して配置場所を指示できるデータであればどのようなデータを用いても良い。
【０１６７】
通信制御部１０２は、文書管理サーバ１と、他のクライアントＰＣ５ａ〜ｎ、ＰＤＡ６ａ〜ｎ及び携帯電話７ａ〜ｎとの間の通信の制御を行う。通信制御部１０２が通信を制御することで、クライアントＰＣ５ａ〜ｎ、ＰＤＡ６ａ〜ｎ及び携帯電話７ａ〜ｎ等の通信可能な情報表示処理装置からの文書情報の送信要求の取得、及び文書管理サーバ１が出力した文字領域画像、画像領域画像及び文書構成ＨＴＭＬファイルを上記の通信可能な情報表示処理装置で受信することができることになる。
【０１６８】
文書画像取得部１０３は、再構成する対象となる文書情報を含んだ文書画像データを取得する。この文書画像データは、スキャナ２で読み込まれた画像データや、公衆ネットワーク４を介して接続されたクライアントＰＣ５ａ〜ｎ等から入力された画像データ、及びＣＤあるいはＤＶＤ等の記録媒体から読み込まれた画像データであっても良い。
【０１６９】
２値化処理部１０４は、取得した文書画像データがカラー又はグレーの場合に２値化処理を行う。２値化処理部１０４が行う２値化処理は、どの様な処理方法を用いても良く、公知の技術を用いて２値化処理を行ってもよい。
【０１７０】
文書構造解析部１０５は、２値で示された文書画像データについて構造を解析して、まず、写真等の画像領域と文章領域とを認識し、文章領域から文書要素を抽出する。画像領域と文書領域とを認識する方法はどの様な方法を用いても良く、本実施の形態では公知の技術を用いて行うこととする。
【０１７１】
図６は、文書構造解析部１０５により文書画像データから画像領域と文章領域を認識した場合の例を示した図である。本図に示すように空白領域については特に処理を行わず、画像領域と認識された写真部分を画像領域として、タイトル、筆者名及び本文の文書部分を文章領域として認識された。これらの領域を抽出して文書情報として再構成を行うこととなる。
【０１７２】
また、文書構造解析部１０５による文書要素の抽出として、特定された文章領域内の文字等の文書要素の確定、文書領域内の読み順及び配置順を特定する。また、文書構造解析部１０５が２値画像から文書要素を抽出する方法についてもどの様な方法を用いても良い。また、抽出する方法の公知の技術としては水平、垂直方向への射影を用いるものや連結成分の外接矩形を用いるものが一般であるが、領域識別等を含めて数多くの技術が提案されている。本実施の形態では、これらの技術を用いて文書要素を抽出する。また、読み順の決定方法についても、どのような方法を用いても良い。なお、この読み順の決定方法は、公知のものが多数あり、例えば市販のレイアウト再現機能を持つ文字認識ソフトなどで広く行われている。
【０１７３】
図７は、文書構造解析部１０５により解析された文書領域内から文字位置情報を文書要素として抽出した場合の例を示した図である。本図に示すように、文字毎に矩形で指定された位置情報が抽出されている。この文字毎が、換言すれば予め定められた基準に相当する。
【０１７４】
また、本実施の形態では文字毎の位置情報を抽出したが、この文書要素の抽出を文字毎の位置情報を抽出に制限するものではない。図８は、本実施の形態とは異なる実施の形態として、複数の文字からなる文字列の位置情報を文書要素として抽出した場合の例を示した図である。本図に示すように、分割する基準を複数の文字毎として、複数の文字の文字列を矩形で囲んだ文字領域画像を分割しても良い。文字数について特に制限はないが、表示する情報表示処理装置の画面サイズの横幅を基準として文字数を決定する等が考えられる。
【０１７５】
図９は、本実施の形態とは異なる実施の形態として、一行毎の位置情報を文字要素として抽出した場合の例を示した図である。本図に示すように、分割する基準を一行毎として、一行毎に文字領域として分割しても良い。また、文字毎、複数の文字からなる文字列毎、一行毎以外の単位で文書要素を抽出しても良い。
【０１７６】
例えば、文書要素として、単語や文節単位に抽出しても良い。この場合、文書画像データに対して文字認識処理を行った後に形態素解析を行う。これにより特定された単語又は文節の対応する文書画像データ内の領域毎に抽出する。また、文字認識処理及び形態素解析については研究例が多く提示されているので、これら提示された技術を用いることとする。
【０１７７】
図２に戻り、領域分割部１０６は、通信可能な各情報表示処理装置で文書情報を再構成して表示することを可能にするため、文書構造解析部１０５により抽出された文書要素に基づいて、通信可能な各情報表示処理装置の画面サイズより小さい画像サイズで文書要素を文字領域画像として分割する。
【０１７８】
また、領域分割部１０６による分割方法として、文書構造解析部１０５により画像領域と認識された領域については１図表毎に分割を行う。
【０１７９】
そして、領域分割部１０６は、予め定められた分割する基準として、文書構造解析部１０５により文章領域と認識された領域を一文字毎に分割する。なお、上述したように文字要素を文字列毎、一行毎又はその他の単位毎に行った場合には、これらの単位毎に分割を行う。分割する際は、当然ながら分割の切れ目に文字がかからないようにする。
【０１８０】
また、領域分割部１０６が領域を分割する際に、画像のレイアウトで空白を把握して、先頭文字、最後文字又は画像において文字又は画像と切れ目の間を数ピクセル空ける等の処理を行っても良い。
【０１８１】
正規化部１０７は、分割された文字領域画像及び画像領域画像を、通信可能な各情報表示処理装置の画面サイズで表示するために最適な画像サイズに変更する。
【０１８２】
つまり、分割された画像が撮像時の解像度が高ければピクセル数が多くなり、解像度が低ければ少なくなる。例えば、１文字毎に分割して文字領域画像を取得する場合を考慮すると、６００ｄｐｉで撮像したものは２００ｄｐｉで撮像したものに比べ、１辺の長さで３倍、面積で９倍の大きさとなる。これは、表示画面のサイズが小さい情報表示処理装置で高解像度によって撮像された画像を用いて文書情報を表示する際に問題になる。この場合、情報表示処理装置で表示する際に一度に表示できる文字数や行数が少なくなり、１画面あたりの文字レベル情報量が少なくなり、閲覧性がさほど向上しないことになる。
【０１８３】
そこで、正規化部１０７が、分割された文字領域画像及び画像領域画像に対して、撮像時の解像度及び情報表示処理装置の画面サイズ等を考慮して変倍する。この変倍処理を正規化という。変倍率は、画面サイズや利用者が視認容易な文字サイズ等から最適な値を設定する。
【０１８４】
また、本実施の形態では、正規化部１０７は、情報表示処理装置が異なる機種又はカテゴリであっても同じサイズで画面上に文字を表示するように正規化する。同じインチで異なるピクセル数の画面に同じサイズの文字を表示する正規化処理について説明する。例えば、ある情報表示処理装置Ａの画面は４インチ (６４０×４８０ピクセル)では４００ｄｐｉで撮像した文書画像データを再構成して表示させた場合に閲覧性が良好だとする。このためスキャナ２で読み込む際に４００ｄｐｉに設定して画像データを取得することとする（この組み合わせは経験的に選択するなどしても良い）。この場合、他の情報表示処理装置、例えば情報表示処理装置Ｂの画面は４インチ（３２０×２４０ピクセル）で文字、行等を同じサイズで表示するために、正規化部１０７は、分割した文字領域画像及び画像領域画像を１／２倍に変倍する。変倍する前と変倍する後の画像データを記憶することで、それぞれの情報表示処理装置に適した表示を可能にする。なお、本実施の形態では、正規化を分割後に行うこととしたが、分割前でも分割中でもよい。
【０１８５】
また、正規化部１０７は、文書を読み込む際に６００ｄｐｉで撮像した画像データに対して２／３倍に変倍することで、情報表示処理装置Ａに閲覧性を向上させることができる。このように、画面のサイズ及びピクセル数に合わせて適した変倍処理を行った画像データを生成してもよい。これにより文書管理サーバ１に接続する情報表示処理装置毎に適切に文書情報を表示することができる。
【０１８６】
また、正規化部１０７は、最も小さい情報表示処理装置の表示サイズに合わせて変倍を行うこととして、情報表示処理装置によらずに共通して用いる文字領域画像及び画像領域画像を記憶部１０１に記憶しても良い。また、本実施の形態とは異なるが、正規化部１０７により正規化処理を行わずに、情報表示処理装置毎の表示機能により表示する際に変倍を行うことにしても良い。
【０１８７】
構成生成部１０８は、生成された文字領域画像及び画像領域画像を用いて文書情報を表示するために、これら画像データを読み順に配置する文書構成ＨＴＭＬファイルを生成する。また、構成生成部１０８は、文書構造解析部１０５による解析結果及び文書要素として抽出された情報により、画像領域及び文書領域の配置及び抽出された文書要素を用いた読み順が特定されるので、生成された画像データを読み順に従って配置した文書構成ＨＴＭＬファイルを生成することができる。なお、この文書構成ＨＴＭＬファイルを生成するための技術は、公知の技術を用いても良い。
【０１８８】
入出力制御部１１１は、生成された文字領域画像、画像領域画像及び文書構成ＨＴＭＬファイルを対応付けて記憶部１０１に記憶する制御を行う。この対応付ける方法はどの様な方法を用いても良く、例えば文字領域画像、画像領域画像及び文書構成ＨＴＭＬファイルを同じディレクトリに入れる、あるいは文書構成ＨＴＭＬファイルと文字領域画像、画像領域画像の対応関係をデータベースで保持するなどが考えられる。さらに、本実施の形態においては、変倍した画像サイズ毎に文字領域画像、画像領域画像及び文書構成ＨＴＭＬファイルを記憶することとする。この変倍した画像サイズ毎に表示に適した可能なクライアントＰＣ５ａ〜ｎ、ＰＤＡ６ａ〜ｎ及び携帯電話７ａ〜ｎ等の通信可能な情報表示処理装置の機種又はカテゴリを保持する。これにより、当該情報表示処理装置から文書情報の送信要求を受け付けた場合、適切な画像サイズに変倍された画像データを送信することができる。
【０１８９】
また、入出力制御部１１１は、後述する出力受付部１０９が、文書情報の出力を受け付けた際に、記憶部１０１から送信する対象となる文字領域画像、画像領域画像及び文書構成ＨＴＭＬファイルを取得する。これらのファイルは、通信要求と共に受け付けた文書構成ＨＴＭＬファイルのファイル名等で特定される。さらに入力された情報表示処理装置の機種又はカテゴリにより特定された適切な画像サイズの文字領域画像、画像領域画像及び文書構成ＨＴＭＬファイルを取得して、後述する出力処理部１１０に出力する。また、印刷要求と共に入力された文書画像データのファイル名から文書画像データを取得して、出力処理部１１０に出力も行う。
【０１９０】
出力受付部１０９は、通信制御部１０２の制御によりクライアントＰＣ５ａ〜ｎ、ＰＤＡ６ａ〜ｎ及び携帯電話７ａ〜ｎ等の通信可能な情報表示処理装置から文書情報の送信要求を受け付ける。文書情報の送信要求として受け付ける情報は、文書情報を特定する文書構成ＨＴＭＬファイルのファイル名や、文書情報のタイトルなど、文書情報を特定できる情報であればどのような情報でも良い。さらにこの文書情報を特定する情報に加えて情報表示処理装置の機種あるいはカテゴリ等を取得することで、どの画像サイズに変倍した画像データを送るか判断することができる。
【０１９１】
また、出力受付部１０９は、上記通信可能な情報表示処理装置から文書情報の印刷要求をも受け付ける。例えば通信可能な情報表示処理装置に文字領域画像、画像領域画像及び文書構成ＨＴＭＬファイルを送信した後に、当該情報表示処理装置から、これらのファイルで示される文書情報の印刷要求を受け付けた場合、文書構成ＨＴＭＬファイルに含まれていた元となる文書画像データを記憶部１０１から取得して、後述する出力処理部１１０から出力することでプリンタ３から印刷することができる。
【０１９２】
出力処理部１１０は、出力受付部１０９で通信可能な情報表示処理装置から受け付けた文書情報の出力要求に対して、入出力制御部１１１で取得した文字領域画像、画像領域画像及び文書構成ＨＴＭＬファイルを出力する処理を行う。その後、通信制御部１０２が通信を制御することで、出力された文字領域画像、画像領域画像及び文書構成ＨＴＭＬファイルは出力を要求した当該情報表示処理装置に送信されることになる。
【０１９３】
また、出力処理部１１０は、出力受付部１０９で通信可能な情報表示処理装置から受け付けた印刷要求より印刷対象である文書構成ＨＴＭＬファイルに記載されていた元の文書画像データのファイル名により、入出力制御部１１１が元となる文書画像データを取得した後で、出力する処理を行う。これによりＬＡＮを介して接続されていたプリンタ３で印刷処理が行われることになる。
【０１９４】
このように、文書管理サーバ１は、上述した構成を備えることで、文書画像データから各種の通信可能な情報表示処理装置で文書情報を表示する際に再構成可能な情報として文字領域画像、画像領域画像及び文書構成ＨＴＭＬファイルを生成して、要求に応じてこれらのファイルを出力することができる。そして、文書管理サーバ１から送信された上述したファイルから、各種の通信可能な情報表示処理装置が表示するための処理を行う。そこで、次に文書管理サーバ１と送受信を行う通信可能な情報表示処理装置について説明する。
【０１９５】
図１０は、第１の実施の形態にかかるＰＤＡ６ａの構成を示したブロック図である。を示した図である。本図に示したＰＤＡ６ａは、通信制御部１００１と、要求出力処理部１００２と、入力処理部１００３と、表示処理部１００４と、画素値変更部１００５と、給電情報判断部１００６と、給電情報取得部１００７と、電源種別判断部１００８と、を備え、上述した文書管理サーバ１と送受信を行うことで取得した文字領域画像、画像領域画像及び文書構成ＨＴＭＬファイルに基づいて文書情報の表示処理を行う。
【０１９６】
通信制御部１００１は、ＰＤＡ６ａと接続された他の機器、例えば文書管理サーバ１との間の通信の制御を行う。通信制御部１００１が通信を制御することで、文書管理サーバ１に対して文書情報の送信要求の出力、及び文書管理サーバ１が出力した文字領域画像、画像領域画像及び文書構成ＨＴＭＬファイルを受信することができる。
【０１９７】
要求出力処理部１００２は、文書情報の送信要求を出力処理する。そして、通信制御部１００１が通信を制御することで、出力された文書情報の送信要求を文書管理サーバ１に送信されることになる。
【０１９８】
また、要求出力処理部１００２は、文書情報の印刷要求を出力処理することもできる。例えば、現在ＰＤＡ６ａの液晶ディスプレイに表示されている文書情報の印刷要求を行う際に、この文書構成ＨＴＭＬファイルに含まれている元となる文書画像データを印刷する対象として、通信制御部１００１が通信を制御することで、この文書画像の印刷要求を文書管理サーバ１に送信されることになる。
【０１９９】
入力処理部１００３は、通信制御部１００１による通信の制御で文書管理サーバ１から受信した文字領域画像、画像領域画像及び文書構成ＨＴＭＬファイルを入力処理する。そのほかに、入力処理部１００３は、メモリカード及びＣＤ−Ｒ等のメディアで保持されていた文字領域画像、画像領域画像及び文書構成ＨＴＭＬファイルを入力処理しても良い。
【０２００】
電源種別判断部１００８は、ＰＤＡ６ａが使用している電源種別を判断する。具体的な例としては、電源種別判断部１００８は、ＡＣ電源駆動のように常に電力を供給することが可能な電源であるか、又は、電池駆動等の供給可能な電力に制限がある電源であるか判断する。この判断に基づいて後述する画素値変更手段は表示する画素値を変更することができる。
【０２０１】
給電情報取得部１００７は、電源種別判断部１００８により電池駆動等の供給可能な電力に制限がある電源であると判断された場合に、残りの供給可能な電力量を取得する。また、本実施の形態では、給電情報取得部１００７は、供給可能な残りの電力量をＰＤＡ６ａが駆動可能な残り時間として取得する。
【０２０２】
給電情報判断部１００６は、供給可能な電力が所定の電力量より多いか否か判断する。本実施の形態においては、給電情報判断部１００６は、給電情報取得部１００７が取得した駆動可能な残り時間により、画素値を変更して表示するか否か判断する。詳細な例としては、給電情報判断部１００６は、給電情報取得部１００７が取得した駆動可能な残り時間が一時間より少ない場合に、画素値を変更して表示すべきだと判断する。また、一時間より多い場合には、特に変更せずに表示すべきと判断する。なお、本実施の形態は、残り時間の判断基準を一時間に制限するものではなく、例えば利用者により適切な時間を設定可能にしてもよい。
【０２０３】
画素値変更部１００５は、文字領域画像、画像領域画像が保持する実際の画素値と異なる画素値に変更する。そして、後述する表示処理部１００４は、変更された画素値を用いて文字領域画像、画像領域画像の表示処理を行う。
【０２０４】
本実施の形態において画素値変更部１００５は、上述した文書管理サーバ１において２値化された文字領域画像について、黒を示す画素値を、白を示す画素値に、また白を示す画素値を、黒を示す画素値に変更する。これにより一般的に多く作成される黒文字、白背景の文書情報が、白文字、黒背景の文書情報として表示処理部１００４が表示することになる。
【０２０５】
つまり、ＰＤＡ等のモバイル機器は電池駆動で使用される機会が多く、また文書データは黒文字、白背景で文書が作成されることが多い。そこで、表示時の電池消費量を抑えるため、画素値変更部１００５が画素値を変更して、白文字、黒背景での表示を可能にする。また、有機ＥＬなど次世代表示デバイスの中には現状では短寿命のものもある。このような場合に画素値を変更することで延命効果を期待できる。
【０２０６】
また、画素値変更部１００５による画素値の変更する条件は複数設定可能とする。この設定可能な複数の条件について説明する。条件としてはまず第１に使用電源種別に応じて画素値の変更すること、第２に供給可能な電力に制限がある電源の場合に残りの電力量が所定の電力量より多いか否かにより画素値の変更することが考えられる。これらの条件から利用者が画素値変更の条件を設定することができる。
【０２０７】
次に、画素値変更部１００５は、電源種別判断部１００８による使用電源種別に応じて画素値を変更する場合について説明する。まず、電源種別判断部１００８による判断結果で常に電力を供給することが可能な電源であると判断された場合、画素値変更部１００５は画素値の変更は行わず「黒文字、白背景」のまま表示される。また、電源種別判断部１００８による判断結果で供給可能な電力に制限がある電源であると判断された場合、画素値変更部１００５は画素値の変更を行い「白文字、黒背景」で表示される。これにより例えば、ＡＣ電源駆動のときは「黒文字、白背景」で表示するが、電池駆動のときは「白文字、黒背景」で表示するよう画素値を切り替えることで、長時間稼働させることを可能にする。
【０２０８】
次に、画素値変更部１００５は、給電情報判断部１００６による供給可能な電力に制限がある電源の場合に残りの電力量が所定の電力量より多いか否かにより画素値の変更する場合について説明する。まず、給電情報判断部１００６は、給電情報取得部１００７が取得した駆動可能な残り時間が一時間より長いと判断した場合、画素値変更部１００５は画素値の変更は行わず「黒文字、白背景」のまま表示される。また、給電情報取得部１００７が取得した駆動可能な残り時間が一時間より短いと判断した場合、画素値変更部１００５は画素値の変更を行い「白文字、黒背景」で表示される。これにより、ＰＤＡ６ａの電池残量に余裕がある場合には「黒文字、白背景」で表示され、残量が少ない場合には消費電力の少ない「白文字、黒背景」の表示に切り替えることで、長時間稼動させることができる。
【０２０９】
また、画素値変更部１００５が画素値を切り替えて、「白文字、黒背景」で表示することで、発光量の問題で通常の黒文字、白背景より反転した白文字、黒背景の方が閲覧時に目が疲れにくいと感じる利用者に対して閲覧性が向上する。
【０２１０】
表示処理部１００４は、文字領域画像、画像領域画像及び文書構成ＨＴＭＬファイルを用いた文書情報を表示する処理を行う。また、表示処理部１００４が、文書情報を表示する際に、画素値変更部１００５で画素値が変更されている場合は、変更された画素値を用いて文字領域画像を表示する。なお、画素値変更部１００５で画素値が変更されなかった場合は、文字領域画像が保持している画素値を用いて表示する処理を行う。
【０２１１】
また、本実施の形態は、表示処理部１００４により文字領域画像、画像領域画像及び文書構成ＨＴＭＬファイルを表示処理するアプリケーションとしてＷｅｂブラウザを用いて表示処理を行うが、文字領域画像、画像領域画像を用いて文書情報を再構成して表示が可能であれば、どのような表示処理を用いても良い。
【０２１２】
図１１は、表示処理部１００４によりＰＤＡの液晶ディスプレイに文字領域画像、画像領域画像及び文書構成ＨＴＭＬファイルを用いて文書情報を表示した場合の一例を示した図である。本図に示すように、文書構成ＨＴＭＬファイル内に文字領域画像、画像領域画像を読み順に表示するようにタグで指定することで、表示処理部１００４がＷｅｂブラウザ上に文書画像データに含まれていた文書情報を再構成して表示することを可能としている。
【０２１３】
図１２は、図１１と異なる表示形態として、表示処理部１００４によりＰＤＡの液晶ディスプレイに文字領域画像、画像領域画像及び文書構成ＨＴＭＬファイルを用いて文書情報を表示した場合の一例を示した図である。図１１及び図１２に示すように、文書情報を再構成して表示する際、利用者は、視認が容易な表示方法を選択することができる。
【０２１４】
上述した説明はＰＤＡ６ａについて説明したが、図１に示したように文書管理サーバ１と接続可能な通信可能な情報表示処理装置はＰＤＡに限るものではない。例えば、上述した構成を備えた携帯電話等の通信可能な情報表示処理装置についても同様の処理を行うことが可能である。
【０２１５】
次に、以上のように構成された本実施の形態にかかる文書管理サーバ１における文書画像を取得してから文書情報が再構成された画像領域画像、文字領域画像及び文書構成ＨＴＭＬファイルを生成して保存するまでの処理について説明する。図１３は、本実施の形態にかかる文書管理サーバ１における上述した処理の手順を示すフローチャートである。
【０２１６】
まず、文書画像取得部１０３は、文書情報を含んだ文書画像データを取得する（ステップＳ１３０１）。
【０２１７】
次に、２値化処理部１０４は、取得した文書画像データが白と黒の２値で示されているか否か判断する（ステップＳ１３０２）。そして、文書画像データが白と黒の２値で示されていると判断した場合（ステップＳ１３０２：Ｙｅｓ）、２値化処理部１０４は特に処理を行わない。
【０２１８】
そして、２値化処理部１０４は、文書画像データが白と黒の２値で示されていない、つまりカラー又はグレースケールで示されていると判断した場合（ステップＳ１３０２：Ｎｏ）、２値化処理部１０４は、２値化処理を行う（ステップＳ１３０３）。
【０２１９】
次に、文書構造解析部１０５は、文書画像データの構造を解析して、画像領域と文章領域とを認識し、文章領域から文書要素を抽出する（ステップＳ１３０４）。
【０２２０】
そして、領域分割部１０６は、抽出された文字要素に基づいて、文字領域画像として分割する（ステップＳ１３０５）。また、領域分割部１０６は、画像領域についても画像領域画像として分割する。
【０２２１】
次に、正規化部１０７は、分割された画像に対して、文書情報を表示する対象となる通信可能な情報表示処理装置の画面サイズ等を考慮して変倍する（ステップＳ１３０６）。
【０２２２】
そして、構成生成部１０８は、文字領域画像及び画像領域画像を用いて文書情報を表示するために、これら画像データを読み順に配置する文書構成ＨＴＭＬファイルを生成する（ステップＳ１３０７）。
【０２２３】
次に、入出力制御部１１１は、生成された文字領域画像、画像領域画像及び文書構成ＨＴＭＬファイルを対応付けて記憶部１０１に記憶する制御を行う（ステップＳ１３０８）。
【０２２４】
上述した処理手順により、文字領域画像、画像領域画像及び文書構成ＨＴＭＬファイルを用いて再構成した文書情報を表示処理することが可能となる。なお、上述した処理手順は、本実施の形態による文書画像データを取得してから文字領域画像、画像領域画像及び文書構成ＨＴＭＬファイルを保存するまでの処理手順の例を示したものであり、本発明をこの処理手順に制限するものではない。例えば、領域を分割する前に正規化処理を行う等が考えられる。
【０２２５】
次に、以上のように構成された本実施の形態にかかる文書管理サーバ１及びＰＤＡ６ａでＰＤＡ６ａが文書情報の送信要求を行ってから、文書管理サーバ１が該当するファイルを送信し、ＰＤＡ６ａに表示処理を行うまで処理手順について説明する。図１４は、本実施の形態にかかる文書管理サーバ１及びＰＤＡ６ａにおける上述した処理の手順を示すフローチャートである。
【０２２６】
まず、ＰＤＡ６ａの要求出力処理部１００２は、文書情報の送信要求を出力処理する（ステップＳ１４１１）。また、送信要求を出力処理する際に、通信制御部１００１が通信を制御して、文書情報の送信要求は、文書管理サーバ１に送信されることになる。
【０２２７】
そして、文書管理サーバ１の出力受付部１０９は、文書情報の送信要求を受け付ける（ステップＳ１４０１）。この際に、通信制御部１０２がＰＤＡ６ａから送られてきた送信要求を受信する制御を行う。
【０２２８】
次に、文書管理サーバ１の入出力制御部１１１は、送信要求を受け付けた文書情報に該当する文書構成ＨＴＭＬファイル、文字領域画像及び画像領域画像を記憶部１０１から取得する（ステップＳ１４０２）。
【０２２９】
そして、文書管理サーバ１の出力処理部１１０は、取得した文書構成ＨＴＭＬファイル、文字領域画像及び画像領域画像を出力する処理を行う（ステップＳ１４０３）。また、通信制御部１０２が通信を制御して、出力処理された文書構成ＨＴＭＬファイル、文字領域画像及び画像領域画像が送信要求を行ったＰＤＡ６ａに送信されることになる。
【０２３０】
次に、ＰＤＡ６ａの入力処理部１００３は、文書管理サーバ１から出力された文書構成ＨＴＭＬファイル、文字領域画像及び画像領域画像の入力処理を行う（ステップＳ１４１２）。この際に、通信制御部１００１が文書管理サーバ１から送られてきた上記ファイル群を受信する制御を行う。
【０２３１】
そして、ＰＤＡ６ａの表示処理部１００４は、入力処理された文書構成ＨＴＭＬファイル、文字領域画像及び画像領域画像を表示する処理を行う（ステップＳ１４１３）。また、表示処理する際に、電源種別や給電状況に応じて、画素値変更部１００５により文字の色を示す画素値と、背景の色を示す画素値を変更する場合もある。
【０２３２】
上述した処理手順により、ＰＤＡ６ａ等の文書管理サーバ１と通信可能な情報表示処理装置で文書情報を再構成して表示処理することが可能となる。なお、上述した処理手順は、本実施の形態による文書情報の送信要求を行ってから表示処理を行うまでの処理手順の例を示したものであり、本発明をこの処理手順に制限するものではない。
【０２３３】
図１５は、文書管理サーバ１の機能を実現するためのプログラムを実行したＰＣのハードウェア構成を示した図である。本実施の形態の文書管理サーバ１は、ＣＰＵ(Central Processing Unit)１５０１などの制御装置と、ＲＯＭ（Read Only Memory）１５０２やＲＡＭ（Random Access Memory）１５０３などの記憶装置と、ネットワークに接続する通信Ｉ／Ｆ１５０４と、ＨＤＤ（Hard Disk Drive）、ＣＤ（Compact Disk）ドライブ装置などの外部記憶装置１５０５と、ディスプレイ装置などの表示装置１５０６と、キーボードやマウスなどの入力装置１５０７と、これらを接続するバス１５０８を備えており、通常のコンピュータを利用したハードウェア構成となっている。
【０２３４】
図１６は、本実施の形態にかかるＰＤＡ６ａのハードウェア構成を示した図である。本実施の形態にかかるＰＤＡ６ａは、制御装置となるＣＰＵ（Central Processing Unit）１６０１と、ＲＡＭ１６０２及びＲＯＭ（Read Only Memory）１６０３と、外部記憶装置となるフラッシュＲＯＭ１６０４と、タッチペン等の入力デバイス１６２０で操作及び表示可能な液晶ディスプレイ等で構成される表示操作部１６０５と、表示操作部１６０５からの信号を入力するための入力Ｉ／Ｆ１６０６と、音声を出力する音声出力部１６０７と、外部装置あるいはネットワークと接続する通信Ｉ／Ｆ１６０８と、バッテリ１６１０又はＡＣ電源１６１１等の給電手段と接続を可能にする電源回路１６０９を備えたハードウェア構成となっている。そしてＲＯＭ１６０３又はフラッシュＲＯＭ１６０４にはＰＤＡ全体を制御するためのＯＳ等の基本プログラムやＰＤＡで使用可能なアプリケーションソフトが格納されている。
【０２３５】
本実施形態の文書管理サーバ１で実行される情報管理プログラム、又はＰＤＡ６ａ等の情報表示処理装置で実行される情報表示処理プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０２３６】
また、本実施形態の文書管理サーバ１で実行される情報管理プログラム、又はＰＤＡ６ａ等の情報表示処理装置で実行される情報表示処理プログラムを、インターネット等のネットワークに接続されたコンピュータ上に格納し、ネットワーク経由でダウンロードさせることにより提供するように構成しても良い。また、本実施形態の文書管理サーバ１で実行される文書管理プログラム、又はＰＤＡ６ａ等の通信可能な情報表示処理装置で実行される情報表示処理プログラムを、インターネット等のネットワーク経由で提供または配布するように構成しても良い。
【０２３７】
また、本実施形態の情報管理プログラム又は情報表示処理プログラムを、ＲＯＭ等に予め組み込んで提供するように構成してもよい。
【０２３８】
本実施の形態の文書管理サーバ１で実行される情報管理プログラムは、上述した各部（通信制御部、文書画像取得部、２値化処理部、文書構造解析部、領域分割部、正規化部、構成生成部、出力受付部、出力処理部）を含むモジュール構成となっており、実際のハードウェアとしてはＣＰＵが上記記憶媒体から情報管理プログラムを読み出して実行することにより上記各部が主記憶装置上にロードされ、通信制御部、文書画像取得部、２値化処理部、文書構造解析部、領域分割部、正規化部、構成生成部、出力受付部、出力処理部が主記憶装置上に生成されるようになっている。
【０２３９】
また、本実施の形態のＰＤＡ６ａ等の通信可能な情報表示処理装置で実行される情報表示処理プログラムは、上述した各部（通信制御部、文書画像取得部、２値化処理部、文書構造解析部、領域分割部、正規化部、構成生成部、出力受付部、出力処理部）を含むモジュール構成となっており、実際のハードウェアとしてはＣＰＵが上記記憶媒体から情報表示処理プログラムを読み出して実行することにより上記各部が主記憶装置上にロードされ、通信制御部、文書画像取得部、２値化処理部、文書構造解析部、領域分割部、正規化部、構成生成部、出力受付部、出力処理部が主記憶装置上に生成されるようになっている。
【０２４０】
なお、上述した実施の形態においては、横書きの文書画像データを、横書きの文書情報として再構成したが、このような再構成に制限するものではない。例えば縦書きの文書画像データの読み順を解析して領域毎に分割した後で、横書きの文書情報として再構成しても良い。さらには、横書きの文書画像データを縦書きの文書情報として再構成する、または縦書きの文書画像データを縦書きの文書画像として再構成しても良い。
【０２４１】
このように文書画像データの文書領域について、本実施の形態のような再構成を行い、画像として提示されるので文字認識誤りの影響を受けない。また、文書領域中の特別なフォントや網掛けなどの書体等の場合、文字認識のためには文字等を判断又は書体を変更する等の様々な条件及び処理を考慮する必要があるが、上述した再構成を行うことで特別な処理について配慮せずとも、元となる画像データの印象を損ねることなく再現して表示することが可能である。
【０２４２】
また、文書管理サーバ１で蓄積している文書情報を、例えばＰＤＡ６ａ等の他の通信可能な情報表示処理装置に適した文書情報に再構成して参照することが出来るため閲覧性が向上する。また、当該情報表示処理装置が再構成するための処理を行う必要がないため、装置の掛かる負荷が低減される。また、利用者が要求した際に受信と同時に表示処理が可能なので利便性が向上する。またＰＤＡ６ａ毎に再構成するための処理を行わなくて済むため効率的に処理が可能になった。
【０２４３】
また、情報表示処理装置は、クライアントＰＣ５ａ〜ｎ、ＰＤＡ６ａ〜ｎ及び携帯電話７ａ〜ｎに制限するものではなく、文書情報を表示する装置であればどのような装置であっても良い。
【０２４４】
（第２の実施の形態）
第１の実施の形態では、文書画像データから文書情報の再構成のみ行っていた。しかしながら、文書情報を再構成する際に、構造を解析した後に加工編集を行い、表示処理する際に、加工編集した情報を用いて特殊な表示処理を行っても良い。そこで第２の実施の形態では、再構成する際に重要箇所を抽出して表示することを可能にした場合について説明する。
【０２４５】
第２の実施の形態は、第１の実施の形態にかかるネットワーク構成を示した図１において、文書管理サーバ１の代わりに文書管理サーバ１７００を、ＰＤＡ６ａ〜ｎの代わりにＰＤＡ１９００ａ〜ｎを使用するものである。以下に第１の実施の形態と構成が異なる文書管理サーバ１７００及びＰＤＡ１９００ａについて説明する。
【０２４６】
図１７は、本発明の第２の実施の形態にかかる文書管理サーバ１７００の構成を示すブロック図である。上述した第１の実施の形態にかかる文書管理サーバ１とは、重要箇所抽出部１７０１が追加されていること、そして構成生成部１０８とは処理が異なる構成生成部１７０２に変更された構成を有している点で異なる。以下の説明では、上述した第１の実施の形態と同一の構成要素には同一の符号を付してその説明を省略している。
【０２４７】
重要箇所抽出部１７０１は、文書構造解析部１０５により文書構造が解析された後で、解析された文書情報から重要箇所を抽出する。この重要箇所の抽出方法はどのような方法を用いても良く、例えば、特開２００４−２３４６５６のような公知技術を用いても良い。この重要箇所抽出部１７０１は、換言すれば基準領域抽出手段に相当する。
【０２４８】
また、重要度の抽出方法としては他に画像解析や文字認識結果を用いる方法がある。画像解析を用いる場合の判断基準としては、例えば、文字の画像サイズが大きいか否か、アンダーラインが付されているか否か、太字で記載されているか否か、斜体で記載されているか否か、濃淡反転文字（例えば白抜き）で記載されているか否か、他の文字と異なる色で記載されているか否か、等を設定して重要であるか否か判断して、重要であると判断された領域の文章を抽出すればよい。
【０２４９】
また、重要度の抽出方法として、文字認識結果を用いる場合の判断基準としては、例えば形態素解析を行って頻出する名詞を重要単語とし、重要単語を含む文を重要文とする、または文脈の解析を行うことで意味的解釈の上での重要箇所を特定する等が考えられる。なお、文書画像、テキスト情報のいずれにおいても重要箇所や重要文の特定を行う研究、発明は多く公開されており、これらに記載された技術を用いて重要箇所を特定してもよい。
【０２５０】
また、他の重要度抽出方法としては、上述した判断要件それぞれに対してスコアを設けて、スコアを算出して所定の数値以上であれば重要あるいは数値の高い順から所定の数を重要箇所として特定しても良い。
【０２５１】
構成生成部１７０２は、第１の実施の形態の構成生成部１０８と同様に、生成された文字領域画像及び画像領域画像を用いて文書情報を表示するために、これら画像データを読み順に配置する文書構成ＨＴＭＬファイルを生成する。また、構成生成部１７０２は、重要箇所抽出部１７０１で重要箇所が抽出されていた場合、この重要箇所に対応する文字領域画像が重要であることをタグで示した文書構成ＨＴＭＬファイルを生成する。
【０２５２】
図１８は、重要箇所を示すタグが埋め込まれて生成された文書構成ＨＴＭＬファイルの例を示した図である。本図に示すように、重要箇所の開始部分について＜ＩＭＰＯＲＴＡＮＴ＞１９０１を記載し、終了部分について＜／ＩＭＰＯＲＴＡＮＴ＞１９０２を記載する。これに囲まれた文字領域画像"eic005.png"から"eic0017.png"まで、つまり、図３で示した文書において「万人に見やすい文書を目指して」の記載が重要箇所であることを指定できた。さらにこの文書情報に含まれている章、段落毎のタイトル等についても重要箇所として指定される。
【０２５３】
また、構成生成部１７０２は、これらの重要領域と、重要領域に対応する該当記事の文書情報に対するリンク情報を埋め込んでも良い。これにより重要領域と該当する文書情報の対応関係が明確になる。また、特にリンク情報を埋め込まない場合は、章、段落毎のタイトルのように重要領域から次の重要領域までを対応する文書情報とみなしてもよい。このような重要領域と文書情報の対応関係を明確にすることで、概観性を維持しつつ、より詳しい情報を取得がかのうとすることで利便性を向上させることができる。なお、リンク情報はどの様な定義であっても良く、ＸＭＬ(eXtensible Markup Language)等の公知の技術を用いて定義しても良い。
【０２５４】
このように、文書管理サーバ１７００は、上述した構成を備えることで、第１の実施の形態の文書管理サーバ１の機能を有し、さらに重要箇所を指定したタグを埋め込んだ文書画像データを生成することを可能にしている。そして、文書管理サーバ１７００から送信された上述したファイルから、各種の通信可能な情報表示処理装置が重要箇所を抽出して表示するための処理を行う。そこで、次に文書管理サーバ１７００と送受信を行う通信可能な情報表示処理装置について説明する。
【０２５５】
図１９は、第２の実施の形態にかかるＰＤＡ１８００ａの構成を示したブロック図である。上述した第１の実施の形態にかかるＰＤＡ６ａとは、表示処理部１００４とは処理が異なる表示処理部１８０２に変更され、重要領域抽出部１８０１及び選択受付部１８０３が追加された構成を有している点で異なる。以下の説明では、上述した第１の実施の形態と同一の構成要素には同一の符号を付してその説明を省略している。
【０２５６】
重要領域抽出部１８０１は、入力処理部１００３で入力処理された文字領域画像、画像領域画像及び文書構成ＨＴＭＬファイルのうち、文書構成ＨＴＭＬファイルに埋め込まれたタグより指定された文書領域画像及び画像領域画像のうち少なくともいずれか１つ以上による重要領域を抽出する。また、重要領域抽出部１８０１は、換言すれば領域抽出手段に相当する。
【０２５７】
表示処理部１８０２は、重要領域抽出部１８０１により重要領域が抽出された場合、重要領域のみを表示する処理を行う。
【０２５８】
図１８で示したソースの場合の例では、＜ＩＭＰＯＲＴＡＮＴ＞１９０１から＜／ＩＭＰＯＲＴＡＮＴ＞１９０２で囲まれた文書領域画像データ、つまりこの文書のタイトルである「万人に見やすい文書を目指して」が表示されることになる。また、この文書中に含まれている＜ＩＭＰＯＲＴＡＮＴ＞＜／ＩＭＰＯＲＴＡＮＴ＞タグで囲まれた章、段落毎のタイトル、頻出単語による重要と見なされた行等の重要領域として抽出された領域についても同様に表示処理されることになる。
【０２５９】
また、表示処理部１８０２は、表示処理部１８０２により表示された章、段落毎のタイトル、頻出単語による重要と見なされた行等の重要領域のうち、後述する選択受付部１８０３で選択された場合、選択された重要領域と対応しており表示されていなかった領域の文書情報を表示処理する。例えば章、段落毎のタイトルであればこれらの章、段落の詳細な文書情報を表示処理し、重要単語による重要と見なされた行などであればこれらの頻出単語が含まれている文書情報を表示処理するなどが考えられる。
【０２６０】
また、表示処理部１８０２が表示処理する際に、画素値変更部１００５により重要領域抽出部１８０１により抽出された重要領域を予め定められた色を示す画素値に変更してから、表示処理してもよい。例えば、重要でない領域が黒文字で表示されている場合に、重要領域を赤文字で表示する等が考えられる。この重要領域として表示される色はＰＤＡ１８００ａに予め設定されていた色でも良いし、また利用者により設定された色でも良い。重要な領域を他の領域と異なる色で表示することで概観性が向上する。また、Ｗｅｂブラウザに色の変更機能があればそれを利用しても良い。
【０２６１】
選択受付部１８０３は、表示処理部１８０２により表示された重要領域から、利用者がタッチペンなどの入力装置を用いて選択されることを受け付ける。これにより表示処理部１８０２で選択された重要領域と対応した文書情報が表示処理されることになる。
【０２６２】
このようにＰＤＡ１８００ａは、上述した構成を備えたことで、最初に重要領域のみ表示して、利用者により選択された場合に詳細な文書情報を表示処理することが可能とした。これにより、画面サイズの小さい情報表示処理装置であっても利用者が閲覧を所望する文書情報を表意に表示処理することを可能にするので閲覧性が向上した。
【０２６３】
次に、以上のように構成された本実施の形態にかかる文書管理サーバ１７００における文書画像を取得してから文書情報が再構成された画像領域画像、文字領域画像及び文書構成ＨＴＭＬファイルを生成して保存するまでの処理について説明する。図２０は、本実施の形態にかかる文書管理サーバ１７００における上述した処理の手順を示すフローチャートである。
【０２６４】
まずは、第１の実施の形態の図１３のステップＳ１３０１〜Ｓ１３０４と同様にして、文書画像データを取得してから文書領域等の構造の解析までを行う（ステップＳ２００１〜Ｓ２００４）。
【０２６５】
次に、重要箇所抽出部１７０１が、解析された文書情報から重要箇所を抽出する（ステップＳ２００５）。
【０２６６】
そして、第１の実施の形態の図１３のステップＳ１３０５〜Ｓ１３０６と同様にして、画像データを領域毎に分割した後で画像サイズの変倍を行う（ステップＳ２００６〜Ｓ２００７）。なお、本実施の形態とは異なるが、ステップＳ２００５で抽出された重要箇所を分割及び変倍する際に、重要箇所の画像に対して書式の変更や他の領域と異なる画像サイズに変倍しても良い。
【０２６７】
次に、構成生成部１７０２は、文字領域画像及び画像領域画像を用いて文書情報を表示するために、これら画像データを読み順に配置する文書構成ＨＴＭＬファイルを生成する（ステップＳ２００８）。この際、構成生成部１７０２は、重要箇所の文字領域画像又は画像領域画像について重要箇所であることを特定できるように＜ＩＭＰＯＲＴＡＮＴ＞＜／ＩＭＰＯＲＴＡＮＴ＞のタグで囲んでおく。
【０２６８】
そして、第１の実施の形態の図１３のステップＳ１３０８と同様にして、入出力制御部１１１は、生成された文字領域画像、画像領域画像及び文書構成ＨＴＭＬファイルを対応付けて記憶部１０１に記憶する制御を行う（ステップＳ２００９）。
【０２６９】
上述した処理手順により、文字領域画像、画像領域画像及び文書構成ＨＴＭＬファイルを用いて再構成した文書情報を表示処理することが可能となる。なお、上述した処理手順は、本実施の形態による文書画像データを取得してから文字領域画像、画像領域画像及び文書構成ＨＴＭＬファイルを保存するまでの処理手順の例を示したものであり、本発明をこの処理手順に制限するものではない。例えば、領域を分割する前に正規化処理を行う等が考えられる。
【０２７０】
次に、以上のように構成された本実施の形態にかかる文書管理サーバ１７００及びＰＤＡ１８００ａでＰＤＡ１８００ａが文書情報の送信要求を行ってから、文書管理サーバ１７００が該当するファイルを送信し、ＰＤＡ１８００ａに表示処理を行うまで処理手順について説明する。図２１は、本実施の形態にかかる文書管理サーバ１７００及びＰＤＡ１８００ａにおける上述した処理の手順を示すフローチャートである。
【０２７１】
まず、第１の実施の形態の図１４のステップＳ１４１１、Ｓ１４０１〜Ｓ１４０３、Ｓ１４１２と同様にして、文書情報の送信する要求を出力してから、文書管理サーバ１７００から出力された文書構成ＨＴＭＬファイル、文字領域画像及び画像領域画像の入力処理までを行う（ステップＳ２１１１、Ｓ２１０１〜Ｓ２１０３、Ｓ２１１２）。
【０２７２】
次に、重要領域抽出部１８０１は、文書構成ＨＴＭＬファイル内で指定された文書領域画像及び画像領域画像のうち少なくともいずれか１つ以上による重要領域を抽出する（ステップＳ２１１３）。
【０２７３】
そして、表示処理部１８０２は、抽出された重要領域のみ表示する処理を行う（ステップＳ２１１４）。
【０２７４】
上述した処理手順により、ＰＤＡ１８００ａ等の文書管理サーバ１７００と通信可能な情報表示処理装置で文書情報を再構成して重要な領域のみを表示処理することが可能となる。なお、上述した処理手順は、本実施の形態による文書情報の送信要求を行ってから表示処理を行うまでの処理手順の例を示したものであり、本発明をこの処理手順に制限するものではない。
【０２７５】
そして重要領域のみ表示処理されたこととなるが、この表示された重要領域から利用者が入力装置で選択すると重要領域に対応した文書情報が表示される。
【０２７６】
そこで、本実施の形態にかかるＰＤＡ１８００ａで重要領域のみ表示処理してから対応した文書情報を表示処理するまでの処理手順について説明する。図２２は、本実施の形態にかかるＰＤＡ１８００ａにおける上述した処理の手順を示すフローチャートである。
【０２７７】
まず、表示処理部１８０２は、図２１のステップＳ２１１４と同様に、文書管理サーバ１７００から入力された文書構成ＨＴＭＬファイルで指定された重要領域のみを表示する処理を行う（ステップＳ２２０１）。
【０２７８】
次に、選択受付部１８０３は、ステップＳ２２０１で表示された重要領域から、利用者がタッチペンなどの入力装置を用いて選択されることを受け付ける（ステップＳ２２０２）。
【０２７９】
そして、表示処理部１８０２は、ステップＳ２２０２により選択された重要領域に対応する文書情報を表示する処理を行う（ステップＳ２２０３）。
【０２８０】
上述した処理手順により、重要領域に対応した文書情報の表示処理することが可能となる。なお、上述した処理手順は、本実施の形態による重要領域のみ表示処理してから、重要領域に対応する詳細な文書情報を表示処理するまでの処理手順の例を示したものであり、本発明をこの処理手順に制限するものではない。
【０２８１】
また、上述した実施の形態により最初に重要領域のみ表示されるので文書全体の概観性が向上する。さらに表示された重要領域から重要領域を選択することで対応する文書情報が表示されるので利便性が向上する。
【０２８２】
（第２の実施の形態の変形例１）
第２の実施の形態では重要領域の色を変更するためにＰＤＡ１８００ａで表示処理部１８０２が表示処理する際に色を変更することとしていた。しかしながら、重要領域の色を変更するために予め文書管理サーバで色を変更して良い。そこで、本変形例では、文書管理サーバで色を変更する処理を行う場合の変形例について説明する
【０２８３】
そこで本変形例では、文書管理サーバで重要箇所の色を変更する場合について説明する。まず、重要箇所抽出部で抽出された重要箇所の示す文字領域画像又は画像領域画像を、領域分割部が分割する際に色を変更する。つまり領域分割部が、重要箇所を示す文字領域画像又は画像領域画像の黒を示す画素値を、赤を示す画素値に変更する。これによりＰＤＡ１８００ａ等の情報表示処理装置で表示処理を行う際に重要な領域が赤で表示され、概観性が向上する。
【０２８４】
（第２の実施の形態の変形例２）
また、第２の実施の形態では概観性を向上させるために重要領域の色を変更させることとしたが、概観性を向上させる手段として他の手段を用いても良い。そこで、本変形例は、重要領域の書式を変更する場合について説明する。
【０２８５】
つまり、本変形例は、ＰＤＡ等の情報表示処理装置の表示処理部が、重要領域抽出部が重要領域を抽出した際に、この重要領域を所定の書式で表示処理を行う。この所定の書式はどのような書式でも良く、例えばアンダーラインの付加、太字又は斜体で表示等が考えられる。詳細な例としては、見出のみ太字で表示処理することで、他の文書情報と区別することが容易になる。これにより概観性が向上することになる。
【０２８６】
また、ＰＤＡ等の情報表示処理装置側で所定の書式に変更するのではなく、文書管理サーバで領域分割する際に書式を変更しても良い。
【０２８７】
（第２の実施の形態の変形例３）
本変形例は、概観性を向上させる手段として、画像サイズを変更する場合について説明する。
【０２８８】
具体的には、文書管理サーバが重要箇所抽出部で抽出された重要箇所の文字領域画像及び画像領域画像に対して、正規化部１０７が変倍する際に重要箇所のみ異なる倍数で変倍する等が考えられる。
【０２８９】
または、構成生成部１７０２が、生成する文書構造ＨＴＭＬファイルで表示する画像サイズを指定してもよい。例えば、構成生成部１７０２が、文書構成ＨＴＭＬファイル内で指定されている重要領域の文字領域画像を、通常の文字領域画像が８０×１００ピクセルであれば、‘＜img src="eic0xxx.png" WIDTH=120 HEIGHT=150>’と指定する等が考えられる。
【０２９０】
当然ながらＰＤＡ等の情報表示処理装置で画像サイズを変更して表示しても良い。このように画像サイズを変更して表示することを可能にしたことで、概観性が向上する。
【０２９１】
（変形例）
また、上述した各実施の形態に限定されるものではなく、以下に例示するような種々の変形が可能である。
【０２９２】
（変形例１）
上述した実施の形態において、ＰＤＡ等の情報表示処理装置に備えられた画素値変更部は、黒と白を切り替えて消費電力を低減して、長時間駆動を可能とした。しかしながら、消費電力を低減するのは黒と白を切り替えることのみに制限されることではない。
【０２９３】
そこで本変形例では、黒と白を切り替えるのではなく、表示される画面のうち、背景領域について低明度の画素値を用いて表示し、文字領域について高明度の画素値を用いて表示する処理を行うこととする。これにより、消費電力を低減させて長時間駆動を可能にする。また、使用色を白と黒のみならず背景領域を低明度及び文字領域を高明度で表示処理するので、グレースケールを用いた表示処理や、複数の色の画素値を用いて表示処理することも可能になる。
【０２９４】
また、本変形のように背景領域を低明度及び文字領域を高明度で表示処理する際に、上述した実施の形態のように電源種別により画素値の変更や、供給可能な電力量により画素値を変更しても良い。
【０２９５】
また、色を変更する場合、第２の実施の形態のように重要領域ついては変更せずに所定の色で表示してもよい。例えば、重要領域において背景色が黒で、文字色が赤で表示されるなどが考えられる。
【０２９６】
（変形例２）
上述した実施の形態において、ＰＤＡ等の文書情報を表示する情報表示処理装置に備えられた画素値変更部は、黒と白など予め設定された色を変更することとしたが、本発明は変更する色を予め設定された色に変更することのみに制限するものではない。そこで本変形例では、表示処理を行う際に利用者により設定された色に変更することとする。
【０２９７】
図２３は、本変形例にかかるＰＤＡ２３００ａの構成を示すブロック図である。上述した第２の実施の形態にかかるＰＤＡ１８００ａとは、文字背景色保持部２３０１が追加され、画素値変更部１００５とは処理が異なる２３０２に変更された構成を有している点で異なる。以下の説明では、上述した実施の形態１と同一の構成要素には同一の符号を付してその説明を省略している。
【０２９８】
文字背景色保持部２３０１は、利用者により設定された文字の色を示す画素値と、背景の色を示す画素値を保持している。また、本変形例では、文字背景色保持部２３０１が保持している文字の色及び背景の色の設定は、ＰＤＡ２３００ａに表示された表示パネルから利用者によりタッチペン等を用いて選択することで設定される等が考えられる。
【０２９９】
画素値変更部２３０２は、文字背景色保持部２３０１で保持している文字の色を示す画素値と背景の色を示す画素値に、文字領域画像に含まれている文字の色を示す画素値及び背景の色を示す画素値を変更する。これにより表示処理部１８０２で変更した色を示す画素値で表示されることになる。
【０３００】
また、画素値変更部２３０２が画素値を切り替える条件は、特に設けなくても良いし、上述した実施の形態と同様に電源種別により画素値を変更する、または、供給可能な電力量に応じて画素値を変更しても良い。上述した構成をＰＤＡ等の情報表示処理装置が備えることで、利用者の好みに合わせて色を変更できることになり、利便性が向上する。
【０３０１】
（変形例３）
また、上述した実施の形態においては、領域分割部１０６により分割された画像に対して特に処理を行わないこととしたが、例えば縦書きの文書画像データを領域毎に分割して横書きの文書情報として再構成して表示する際に、括弧の向きが異なるという不具合、または縦書きに依存した文字、例えば単位等の複数の文字が一文字サイズに含まれている場合に読み順が異なるという不整合が生じる場合がある。そこで、ＯＣＲ等で文字解析して上述した文字があった場合に、横書きの文書に適した文字に変更する処理を行うこと等が考えられる。
【０３０２】
例えば、括弧を示す文字領域画像の場合に、９０度反転させる等が考えられる。また「キロ」や「メートル」等を縦書きで一文字で表されている場合に、横書きで再構成する際に適切な文字に置き換える等の処理が考えられる。
【０３０３】
（変形例４）
また、上述した実施の形態及び変形例では、文書画像データ、文字領域画像、画像領域画像及び文書構成ＨＴＭＬファイルを文書管理サーバで保持することとしていたが、上述した文書情報を蓄積する装置をサーバに制限するものではない。そこで、本変形例では、ＭＦＰで保持することにしても良い。これによりスキャナ、プリンタ及び文書管理を１つの装置で行うことを可能にする。また、このＭＦＰはＰＤＡ等の情報表示処理装置と情報の送受信を可能とし、当然ながらＰＤＡ等の情報表示処理装置に対して上述したファイルを送受信することを可能にする。
【産業上の利用可能性】
【０３０４】
以上のように、本発明にかかる情報管理装置、サーバ、画像形成装置、情報表示処理装置、情報管理方法、情報表示処理方法、情報管理プログラム、情報表示処理プログラム及びコンピュータ読み取り可能な記録媒体は、ＰＤＡ、携帯電話などの情報表示処理装置で文書情報を表示する際に有用であり、特に、文書情報を再構成して表示する技術に適している。
【図面の簡単な説明】
【０３０５】
【図１】第１の実施の形態にかかる文書管理サーバ１、スキャナ２、プリンタ３、並びにクライアントＰＣ５ａ〜ｎ、ＰＤＡ６ａ〜ｎ及び携帯電話７ａ〜ｎの接続されたネットワーク構成を示した図である。
【図２】第１の実施の形態にかかる文書管理サーバの構成を示すブロック図である。
【図３】処理対象となる文書画像データの一例を示した図である。
【図４】文書画像データから分割された画像領域画像及び文字領域画像の一例を示した図である。
【図５】生成された画像領域画像及び文字領域画像を用いて文書情報を表示する際に用いられる文書構成ＨＴＭＬファイルの一例を示した図である。
【図６】第１の実施の形態にかかる文書管理サーバの文書構造解析部により文書画像データから画像領域と文章領域を認識した場合の例を示した図である。
【図７】第１の実施の形態にかかる文書管理サーバの文書構造解析部により解析された文書領域内から文字位置情報を文書要素として抽出した場合の例を示した図である。
【図８】第１の実施の形態と異なる実施の形態として、文書管理サーバの文書構造解析部により解析された文書領域内から複数の文字からなる文字列の位置情報を文書要素として抽出した場合の例を示した図である。
【図９】第１の実施の形態とは異なる実施の形態として、一行毎の位置情報を文字要素として抽出した場合の例を示した図である。
【図１０】第１の実施の形態にかかるＰＤＡの構成を示したブロック図である。
【図１１】第１の実施の形態にかかるＰＤＡの表示処理部により液晶ディスプレイに文字領域画像、画像領域画像及び文書構成ＨＴＭＬファイルを用いて文書情報を表示した場合の一例を示した図である。
【図１２】第１の実施の形態にかかるＰＤＡの表示処理部により液晶ディスプレイに文字領域画像、画像領域画像及び文書構成ＨＴＭＬファイルを用いて文書情報を表示した場合の他の一例を示した図である。
【図１３】第１の実施の形態にかかる文書管理サーバにおける文書画像を取得してから文書情報が再構成された画像領域画像、文字領域画像及び文書構成ＨＴＭＬファイルを生成して保存するまでの処理の手順を示すフローチャートである。
【図１４】第１の実施の形態にかかる文書管理サーバ及びＰＤＡにおけるＰＤＡが文書情報の送信要求を行ってから、文書管理サーバが該当するファイルを送信し、ＰＤＡに表示処理を行うまで処理手順を示すフローチャートである。
【図１５】第１の実施の形態にかかる文書管理サーバの機能を実現するためのプログラムを実行したＰＣのハードウェア構成を示した図である。
【図１６】第１の実施の形態にかかるＰＤＡのハードウェア構成を示した図である。
【図１７】第２の実施の形態にかかる文書管理サーバの構成を示すブロック図である。
【図１８】重要箇所を示すタグが埋め込まれて生成された文書構成ＨＴＭＬファイルの例を示した図である。
【図１９】第２の実施の形態にかかるＰＤＡの構成を示したブロック図である。
【図２０】第２の実施の形態にかかる文書管理サーバにおける文書画像を取得してから文書情報が再構成された画像領域画像、文字領域画像及び文書構成ＨＴＭＬファイルを生成して保存するまでの処理の手順を示すフローチャートである。
【図２１】第２の実施の形態にかかる文書管理サーバ及びＰＤＡにおける文書情報の送信要求を行ってから、文書管理サーバが該当するファイルを送信し、ＰＤＡに表示処理を行うまで処理手順を示すフローチャートである。
【図２２】第２の実施の形態にかかるＰＤＡにおける重要領域のみ表示処理してから対応した文書情報を表示処理するまでの処理手順を示すフローチャートである。
【図２３】変形例２にかかるＰＤＡの構成を示すブロック図である。
【符号の説明】
【０３０６】
１、１７００  文書管理サーバ
２  スキャナ
３  プリンタ
４  公衆ネットワーク
１０１  記憶部
１０２  通信制御部
１０３  文書画像取得部
１０４  ２値化処理部
１０５  文書構造解析部
１０６  領域分割部
１０７  正規化部
１０８、１７０２  構成生成部
１０９  出力受付部
１１０  出力処理部
１１１  入出力制御部
５０１  非表示タグ
１００１  通信制御部
１００２  要求出力処理部
１００３  入力処理部
１００４、１８０２  表示処理部
１００５、２３０２  画素値変更部
１００６  給電情報判断部
１００７  給電情報取得部
１００８  電源種別判断部
１５０１  ＣＰＵ
１５０２  ＲＯＭ
１５０３  ＲＡＭ
１５０４  通信Ｉ／Ｆ
１５０５  外部記憶装置
１５０６  表示装置
１５０７  入力装置
１５０８  バス
１６０１  ＣＰＵ
１６０２  ＲＡＭ
１６０３  ＲＯＭ
１６０４  フラッシュＲＯＭ
１６０５  表示操作部
１６０７  音声出力部
１６０８  通信Ｉ／Ｆ部
１６０９  電源回路
１６１０  バッテリ
１６１１  ＡＣ電源
１６２０  入力デバイス
１７０１  重要箇所抽出部
１８０１  重要領域抽出部
１８０３  選択受付部
１９０１  ＜ＩＭＰＯＲＴＡＮＴ＞
１９０２  ＜／ＩＭＰＯＲＴＡＮＴ＞
２３０１  文字背景色保持部
【図１】
2006260304.tif 000003
【図２】
2006260304.tif 000004
【図３】
2006260304.tif 000005
【図４】
2006260304.tif 000006
【図５】
2006260304.tif 000007
【図６】
2006260304.tif 000008
【図７】
2006260304.tif 000009
【図８】
2006260304.tif 000010
【図９】
2006260304.tif 000011
【図１０】
2006260304.tif 000012
【図１１】
2006260304.tif 000013
【図１２】
2006260304.tif 000014
【図１３】
2006260304.tif 000015
【図１４】
2006260304.tif 000016
【図１５】
2006260304.tif 000017
【図１６】
2006260304.tif 000018
【図１７】
2006260304.tif 000019
【図１８】
2006260304.tif 000020
【図１９】
2006260304.tif 000021
【図２０】
2006260304.tif 000022
【図２１】
2006260304.tif 000023
【図２２】
2006260304.tif 000024
【図２３】
2006260304.tif 000025